(57)【要約】【課題】トランザクションコンテンツを安価に提供できるようにする。【解決手段】放送装置３２−１乃至３２−３は、番組コンテンツにトリガコンテンツを含めて衛星２０を介してデジタルテレビジョン受像機１８−１乃至１８−３に放送する。放送装置３１は、放送装置３２−１乃至３２−３のトリガコンテンツがデジタルテレビジョン受像機１８−１乃至１８−４によりオンされたとき表示されるトランザクションコンテンツを放送する。本発明は、デジタルテレビジョン放送システムに適用することができる。【選択図】      図１
2005020430.tif 000002
【特許請求の範囲】
【請求項１】
第１のコンテンツ提供装置から第１のコンテンツを、第２のコンテンツの提供のトリガとなるトリガコンテンツが合成された状態で第１の放送チャンネルで提供し、
第２のコンテンツ提供装置から前記第２のコンテンツを第２の放送チャンネルで提供し、
受信装置が前記第１のコンテンツを前記第１の放送チャンネルで受信している状態において、前記トリガコンテンツがトリガされた場合、前記受信装置に、受信する放送チャンネルを前記第１の放送チャンネルから前記第２の放送チャンネルに切り替えさせて、前記第２のコンテンツ提供装置が提供している前記第２のコンテンツを受信させ、
前記受信装置において、前記第２のコンテンツの視聴の終了が入力された場合、前記受信装置に、受信する放送チャンネルを前記第２の放送チャンネルから前記第１の放送チャンネルに切り替えさせて、前記第１のコンテンツ提供装置が提供している前記第１のコンテンツを再び受信させる
ことを特徴とするコンテンツ提供システム。
【請求項２】
前記受信装置は、提供された前記第２のコンテンツに基づいて視聴者から入力された情報を、ネットワークを介して情報処理装置に送信する
ことを特徴とする請求項１に記載のコンテンツ提供システム。
【請求項３】
前記第２のコンテンツ提供装置は、前記第２のコンテンツとして、前記第１のコンテンツを視聴している視聴者にアンケートを入力させるためのコンテンツ、または視聴者が商品を購入するために必要な情報を入力させるためのコンテンツを提供する
ことを特徴とする請求項１に記載のコンテンツ提供システム。
【請求項４】
１つの前記第２の放送チャンネルにより、複数の前記第１の放送チャンネルの前記第１のコンテンツのそれぞれに対応する複数の前記第２のコンテンツを提供し、
前記第２のコンテンツ提供装置は、複数の前記第２のコンテンツとして、同一のテンプレートに基づき生成された、共通化されたコンテンツを放送する
ことを特徴とする請求項１に記載のコンテンツ提供システム。
【請求項５】
第１のコンテンツ提供装置から第１のコンテンツを、第２のコンテンツの提供のトリガとなるトリガコンテンツが合成された状態で第１の放送チャンネルで提供し、
第２のコンテンツ提供装置から前記第２のコンテンツを第２の放送チャンネルで提供し、
受信装置が前記第１のコンテンツを前記第１の放送チャンネルで受信している状態において、前記トリガコンテンツがトリガされた場合、前記受信装置に、受信する放送チャンネルを前記第１の放送チャンネルから前記第２の放送チャンネルに切り替えさせて、前記第２のコンテンツ提供装置が提供している前記第２のコンテンツを受信させ、
前記受信装置において、前記第２のコンテンツの視聴の終了が入力された場合、前記受信装置に、受信する放送チャンネルを前記第２の放送チャンネルから前記第１の放送チャンネルに切り替えさせて、前記第１のコンテンツ提供装置が提供している前記第１のコンテンツを再び受信させる
ことを特徴とするコンテンツ提供方法。
【請求項６】
前記受信装置は、提供された前記第２のコンテンツに基づいて視聴者から入力された情報を、ネットワークを介して情報処理装置に送信する
ことを特徴とする請求項５に記載のコンテンツ提供方法。
【請求項７】
前記第２のコンテンツ提供装置は、前記第２のコンテンツとして、前記第１のコンテンツを視聴している視聴者にアンケートを入力させるためのコンテンツ、または視聴者が商品を購入するために必要な情報を入力させるためのコンテンツを提供する
ことを特徴とする請求項５に記載のコンテンツ提供方法。
【請求項８】
１つの前記第２の放送チャンネルにより、複数の前記第１の放送チャンネルの前記第１のコンテンツのそれぞれに対応する複数の前記第２のコンテンツを提供し、
前記第２のコンテンツ提供装置は、複数の前記第２のコンテンツとして、同一のテンプレートに基づき生成された、共通化されたコンテンツを放送する
ことを特徴とする請求項５に記載のコンテンツ提供方法。
【請求項９】
他のコンテンツ提供装置から第１のコンテンツに合成して第１の放送チャンネルで提供されるトリガコンテンツによりその提供がトリガされる第２のコンテンツであって、複数の前記他のコンテンツ提供装置がそれぞれの前記第１の放送チャンネルで提供する前記第１のコンテンツのそれぞれに対応する、同一のテンプレートに基づき生成された、共通化されたコンテンツである複数の前記第２のコンテンツを取得する取得手段と、
複数の前記第２のコンテンツを、１つの第２の放送チャンネルで送信する送信手段と
を備えることを特徴とするコンテンツ提供装置。
【請求項１０】
送信された前記第２のコンテンツに基づいて視聴者から入力された情報を、ネットワークを介して受信し、保持する保持手段をさらに備える
ことを特徴とする請求項９に記載のコンテンツ提供装置。
【請求項１１】
前記取得手段は、前記第２のコンテンツとして、前記第１のコンテンツを視聴している視聴者にアンケートを入力させるためのコンテンツ、または視聴者が商品を購入するために必要な情報を入力させるためのコンテンツを取得する
ことを特徴とする請求項９に記載のコンテンツ提供装置。
【請求項１２】
コンテンツ提供装置のコンテンツ提供方法において、
他のコンテンツ提供装置から第１のコンテンツに合成して第１の放送チャンネルで提供されるトリガコンテンツによりその提供がトリガされる第２のコンテンツであって、複数の前記他のコンテンツ提供装置がそれぞれの前記第１の放送チャンネルで提供する前記第１のコンテンツのそれぞれに対応する、同一のテンプレートに基づき生成された、共通化されたコンテンツである複数の前記第２のコンテンツを取得する取得ステップと、
複数の前記第２のコンテンツを、１つの第２の放送チャンネルで送信する送信ステップと
を含むことを特徴とするコンテンツ提供方法。
【請求項１３】
送信された前記第２のコンテンツに基づいて視聴者から入力された情報を、ネットワークを介して受信し、保持する保持ステップをさらに含む
ことを特徴とする請求項１２に記載のコンテンツ提供方法。
【請求項１４】
前記取得ステップは、前記第２のコンテンツとして、前記第１のコンテンツを視聴している視聴者にアンケートを入力させるためのコンテンツ、または視聴者が商品を購入するために必要な情報を入力させるためのコンテンツを取得する
ことを特徴とする請求項１２に記載のコンテンツ提供方法。
【請求項１５】
コンテンツ提供装置のプログラムであって、
他のコンテンツ提供装置から第１のコンテンツに合成して第１の放送チャンネルで提供されるトリガコンテンツによりその提供がトリガされる第２のコンテンツであって、複数の前記他のコンテンツ提供装置がそれぞれの前記第１の放送チャンネルで提供する前記第１のコンテンツのそれぞれに対応する、同一のテンプレートに基づき生成された、共通化されたコンテンツである複数の前記第２のコンテンツを取得する取得ステップと、
複数の前記第２のコンテンツを、１つの第２の放送チャンネルで送信する送信ステップと
を含むことを特徴とするコンピュータが読み取り可能なプログラムが記録されている記録媒体。
【請求項１６】
送信された前記第２のコンテンツに基づいて視聴者から入力された情報を、ネットワークを介して受信し、保持する保持ステップをさらに含む
ことを特徴とする請求項１５に記載の記録媒体。
【請求項１７】
前記取得ステップは、前記第２のコンテンツとして、前記第１のコンテンツを視聴している視聴者にアンケートを入力させるためのコンテンツ、または視聴者が商品を購入するために必要な情報を入力させるためのコンテンツを取得する
ことを特徴とする請求項１５に記載の記録媒体。
【請求項１８】
コンテンツ提供装置のプログラムであって、
他のコンテンツ提供装置から第１のコンテンツに合成して第１の放送チャンネルで提供されるトリガコンテンツによりその提供がトリガされる第２のコンテンツであって、複数の前記他のコンテンツ提供装置がそれぞれの前記第１の放送チャンネルで提供する前記第１のコンテンツのそれぞれに対応する、同一のテンプレートに基づき生成された、共通化されたコンテンツである複数の前記第２のコンテンツを取得する取得ステップと、
複数の前記第２のコンテンツを、１つの第２の放送チャンネルで送信する送信ステップと
を含むことを特徴とするコンピュータが読み取り可能なプログラム。
【請求項１９】
送信された前記第２のコンテンツに基づいて視聴者から入力された情報を、ネットワークを介して受信し、保持する保持ステップをさらに含む
ことを特徴とする請求項１８に記載のプログラム。
【請求項２０】
前記取得ステップは、前記第２のコンテンツとして、前記第１のコンテンツを視聴している視聴者にアンケートを入力させるためのコンテンツ、または視聴者が商品を購入するために必要な情報を入力させるためのコンテンツを取得する
ことを特徴とする請求項１８に記載のプログラム。
【請求項２１】
第１のコンテンツ提供装置が提供する第１のコンテンツを第１の放送チャンネルで受信するとともに、第２のコンテンツ提供装置が提供する第２のコンテンツを第２の放送チャンネルで受信する受信手段と、
前記第１のコンテンツを前記第１の放送チャンネルで受信している状態において、前記第１のコンテンツに合成されているトリガコンテンツに基づいて、前記第２のコンテンツがトリガされたか否かを判定する判定手段と、
前記判定手段により前記第２のコンテンツがトリガされたと判定された場合、受信するチャンネルを、前記第１の放送チャンネルから前記第２の放送チャンネルに切り替えるとともに、前記第２のコンテンツの視聴の終了が入力された場合、受信するチャンネルを、前記第２の放送チャンネルから前記第１の放送チャンネルに切り替えるように制御する切り替え制御手段と
を備えることを特徴とするコンテンツ受信装置。
【請求項２２】
提供された前記第２のコンテンツに基づいて視聴者から入力された情報を、ネットワークを介して情報処理装置に送信する送信手段をさらに備える
ことを特徴とする請求項２１に記載のコンテンツ受信装置。
【請求項２３】
前記受信手段は、前記第２のコンテンツとして、前記第１のコンテンツを視聴している視聴者にアンケートを入力させるためのコンテンツ、または視聴者が商品を購入するために必要な情報を入力させるためのコンテンツを受信する
ことを特徴とする請求項２１に記載のコンテンツ受信装置。
【請求項２４】
前記受信手段は、１つの前記第２の放送チャンネルで送信される、複数の前記第１のコンテンツ提供装置が自分自身の前記第１の放送チャンネルで提供する前記第１のコンテンツのそれぞれに対応する、同一のテンプレートに基づき生成された、共通化されたコンテンツである複数の前記第２のコンテンツの中から、受信している前記第１の放送チャンネルに対応する前記第２のコンテンツを選択して受信する
ことを特徴とする請求項２１に記載のコンテンツ受信装置。
【請求項２５】
第１のコンテンツ提供装置が提供する第１のコンテンツを第１の放送チャンネルで受信する第１の受信ステップと、
前記第１のコンテンツを前記第１の放送チャンネルで受信している状態において、前記第１のコンテンツに合成されているトリガコンテンツに基づいて、第２のコンテンツが指示されたか否かを判定する判定ステップと、
前記判定ステップの処理により前記第２のコンテンツが指示されたと判定された場合、受信するチャンネルを、前記第１のチャンネルから前記第２のチャンネルに切り替える第１の切り替え制御ステップと、
前記第２のコンテンツ提供装置が提供する前記第２のコンテンツを前記第２の放送チャンネルで受信する第２の受信ステップと、
前記第２のコンテンツの視聴の終了が入力された場合、受信するチャンネルを、前記第２の放送チャンネルから前記第１の放送チャンネルに切り替えるように制御する第２の切り替え制御ステップと
を含むことを特徴とするコンテンツ受信方法。
【請求項２６】
提供された前記第２のコンテンツに基づいて視聴者から入力された情報を、ネットワークを介して情報処理装置に送信する送信ステップをさらに含む
ことを特徴とする請求項２５に記載のコンテンツ受信方法。
【請求項２７】
前記第２の受信ステップは、前記第２のコンテンツとして、前記第１のコンテンツを視聴している視聴者にアンケートを入力させるためのコンテンツ、または視聴者が商品を購入するために必要な情報を入力させるためのコンテンツを受信する
ことを特徴とする請求項２５に記載のコンテンツ受信方法。
【請求項２８】
前記第２の受信ステップは、１つの前記第２の放送チャンネルで送信される、複数の前記第１のコンテンツ提供装置が自分自身の前記第１の放送チャンネルで提供する前記第１のコンテンツのそれぞれに対応する、同一のテンプレートに基づき生成された、共通化されたコンテンツである複数の前記第２のコンテンツの中から、受信している前記第１の放送チャンネルに対応する前記第２のコンテンツを選択して受信する
ことを特徴とする請求項２５に記載のコンテンツ受信方法。
【請求項２９】
第１のコンテンツ提供装置が提供する第１のコンテンツを第１の放送チャンネルで受信する第１の受信ステップと、
前記第１のコンテンツを前記第１の放送チャンネルで受信している状態において、前記第１のコンテンツに合成されているトリガコンテンツに基づいて、第２のコンテンツが指示されたか否かを判定する判定ステップと、
前記判定ステップの処理により前記第２のコンテンツが指示されたと判定された場合、受信するチャンネルを、前記第１のチャンネルから前記第２のチャンネルに切り替える第１の切り替え制御ステップと、
前記第２のコンテンツ提供装置が提供する前記第２のコンテンツを前記第２の放送チャンネルで受信する第２の受信ステップと、
前記第２のコンテンツの視聴の終了が入力された場合、受信するチャンネルを、前記第２の放送チャンネルから前記第１の放送チャンネルに切り替えるように制御する第２の切り替え制御ステップと
を含むことを特徴とするコンピュータが読み取り可能なプログラムが記録されている記録媒体。
【請求項３０】
提供された前記第２のコンテンツに基づいて視聴者から入力された情報を、ネットワークを介して情報処理装置に送信する送信ステップをさらに含む
ことを特徴とする請求項２９に記載の記録媒体。
【請求項３１】
前記第２の受信ステップは、前記第２のコンテンツとして、前記第１のコンテンツを視聴している視聴者にアンケートを入力させるためのコンテンツ、または視聴者が商品を購入するために必要な情報を入力させるためのコンテンツを受信する
ことを特徴とする請求項２９に記載の記録媒体。
【請求項３２】
前記第２の受信ステップは、１つの前記第２の放送チャンネルで送信される、複数の前記第１のコンテンツ提供装置が自分自身の前記第１の放送チャンネルで提供する前記第１のコンテンツのそれぞれに対応する、同一のテンプレートに基づき生成された、共通化されたコンテンツである複数の前記第２のコンテンツの中から、受信している前記第１の放送チャンネルに対応する前記第２のコンテンツを選択して受信する
ことを特徴とする請求項２９に記載の記録媒体。
【請求項３３】
第１のコンテンツ提供装置が提供する第１のコンテンツを第１の放送チャンネルで受信する第１の受信ステップと、
前記第１のコンテンツを前記第１の放送チャンネルで受信している状態において、前記第１のコンテンツに合成されているトリガコンテンツに基づいて、第２のコンテンツが指示されたか否かを判定する判定ステップと、
前記判定ステップの処理により前記第２のコンテンツが指示されたと判定された場合、受信するチャンネルを、前記第１のチャンネルから前記第２のチャンネルに切り替える第１の切り替え制御ステップと、
前記第２のコンテンツ提供装置が提供する前記第２のコンテンツを前記第２の放送チャンネルで受信する第２の受信ステップと、
前記第２のコンテンツの視聴の終了が入力された場合、受信するチャンネルを、前記第２の放送チャンネルから前記第１の放送チャンネルに切り替えるように制御する第２の切り替え制御ステップと
を含むことを特徴とするコンピュータが読み取り可能なプログラム。
【請求項３４】
提供された前記第２のコンテンツに基づいて視聴者から入力された情報を、ネットワークを介して情報処理装置に送信する送信ステップをさらに含む
ことを特徴とする請求項３３に記載のプログラム。
【請求項３５】
前記第２の受信ステップは、前記第２のコンテンツとして、前記第１のコンテンツを視聴している視聴者にアンケートを入力させるためのコンテンツ、または視聴者が商品を購入するために必要な情報を入力させるためのコンテンツを受信する
ことを特徴とする請求項３３に記載のプログラム。
【請求項３６】
前記第２の受信ステップは、１つの前記第２の放送チャンネルで送信される、複数の前記第１のコンテンツ提供装置が自分自身の前記第１の放送チャンネルで提供する前記第１のコンテンツのそれぞれに対応する、同一のテンプレートに基づき生成された、共通化されたコンテンツである複数の前記第２のコンテンツの中から、受信している前記第１の放送チャンネルに対応する前記第２のコンテンツを選択して受信する
ことを特徴とする請求項３３に記載のプログラム。
【発明の詳細な説明】
【０００１】
【発明の属する技術分野】
本発明は、コンテンツ提供システムおよび方法、コンテンツ提供装置および方法、コンテンツ受信装置および方法、記録媒体、並びにプログラムに関し、特に、コンテンツを安価に視聴者に提供することができるようにした、コンテンツ提供システムおよび方法、コンテンツ提供装置および方法、コンテンツ受信装置および方法、記録媒体、並びにプログラムに関する。
【０００２】
【従来の技術】
ＢＳ（Ｂｒｏａｄｃａｓｔ  Ｓａｔｅｌｌｉｔｅ）テレビジョン放送やＣＳ（Ｃｏｍｍｕｎｉｃａｔｉｏｎ  Ｓａｔｅｌｌｉｔｅ）テレビジョン放送においては、テレビジョン信号がデジタル化され、放送されている。これにより、より多くの放送チャンネルを確保することができるばかりでなく、各放送チャンネルにおけるデータの伝送量も、アナログ方式の場合に比べて、より多く放送することが可能となる。
【０００３】
そこで、例えば、テレビジョン放送により、衛星を介して視聴者に広告を行い、その反応をネットワークを介して受信することも提案されている（例えば、特許文献１）。
【０００４】
しかしながら、特許文献１の提案は、デジタル放送の機能をまだ充分には活用していない。
【０００５】
【特許文献１】
特開２００１−３２５５１９号公報
【０００６】
【発明が解決しようとする課題】
そこで、各放送局が、１つの放送チャンネルで１つの番組コンテンツを放送するだけでなく、その番組で紹介した商品を視聴者に販売するためのトランザクションコンテンツもデータ放送の一種として放送することも提案されている。
【０００７】
しかしながら、各放送局がトランザクションコンテンツを独自に用意するには、ＢＭＬ（Ｂｒｏａｄｃａｓｔ  Ｍａｒｋｕｐ  Ｌａｎｇｕａｇｅ）言語によりトランザクションコンテンツを製作しなければならず、手間と労力がかかり、コスト高となる。そこで、各放送チャンネルのデータ放送は充分利用されていないのが実情である。
【０００８】
本発明は、このような状況に鑑みてなされたものであり、各放送局が低コストでトランザクションコンテンツを視聴者に提供できるようにし、もってデータ放送を活用できるようにするものである。
【０００９】
【課題を解決するための手段】
本発明のコンテンツ提供システムは、第１のコンテンツ提供装置から第１のコンテンツを、第２のコンテンツの提供のトリガとなるトリガコンテンツが合成された状態で第１の放送チャンネルで提供し、第２のコンテンツ提供装置から第２のコンテンツを第２の放送チャンネルで提供し、受信装置が第１のコンテンツを第１の放送チャンネルで受信している状態において、トリガコンテンツがトリガされた場合、受信装置に、受信する放送チャンネルを第１の放送チャンネルから第２の放送チャンネルに切り替えさせて、第２のコンテンツ提供装置が提供している第２のコンテンツを受信させ、受信装置において、第２のコンテンツの視聴の終了が入力された場合、受信装置に、受信する放送チャンネルを第２の放送チャンネルから第１の放送チャンネルに切り替えさせて、第１のコンテンツ提供装置が提供している第１のコンテンツを再び受信させることを特徴とする。
【００１０】
前記受信装置は、提供された第２のコンテンツに基づいて視聴者から入力された情報を、ネットワークを介して情報処理装置に送信することができる。
【００１１】
前記第２のコンテンツ提供装置は、第２のコンテンツとして、第１のコンテンツを視聴している視聴者にアンケートを入力させるためのコンテンツ、または視聴者が商品を購入するために必要な情報を入力させるためのコンテンツを提供することができる。
【００１２】
１つの前記第２の放送チャンネルにより、複数の第１の放送チャンネルの第１のコンテンツのそれぞれに対応する複数の第２のコンテンツを提供し、第２のコンテンツ提供装置は、複数の第２のコンテンツとして、同一のテンプレートに基づき生成された、共通化されたコンテンツを放送することができる。
【００１３】
本発明の第１のコンテンツ提供方法は、第１のコンテンツ提供装置から第１のコンテンツを、第２のコンテンツの提供のトリガとなるトリガコンテンツが合成された状態で第１の放送チャンネルで提供し、第２のコンテンツ提供装置から第２のコンテンツを第２の放送チャンネルで提供し、受信装置が第１のコンテンツを第１の放送チャンネルで受信している状態において、トリガコンテンツがトリガされた場合、受信装置に、受信する放送チャンネルを第１の放送チャンネルから第２の放送チャンネルに切り替えさせて、第２のコンテンツ提供装置が提供している第２のコンテンツを受信させ、受信装置において、第２のコンテンツの視聴の終了が入力された場合、受信装置に、受信する放送チャンネルを第２の放送チャンネルから第１の放送チャンネルに切り替えさせて、第１のコンテンツ提供装置が提供している第１のコンテンツを再び受信させることを特徴とする。
【００１４】
前記受信装置は、提供された第２のコンテンツに基づいて視聴者から入力された情報を、ネットワークを介して情報処理装置に送信することができる。
【００１５】
前記第２のコンテンツ提供装置は、第２のコンテンツとして、第１のコンテンツを視聴している視聴者にアンケートを入力させるためのコンテンツ、または視聴者が商品を購入するために必要な情報を入力させるためのコンテンツを提供することができる。
【００１６】
１つの前記第２の放送チャンネルにより、複数の第１の放送チャンネルの第１のコンテンツのそれぞれに対応する複数の第２のコンテンツを提供し、第２のコンテンツ提供装置は、複数の第２のコンテンツとして、同一のテンプレートに基づき生成された、共通化されたコンテンツを放送することができる。
【００１７】
本発明のコンテンツ提供装置は、他のコンテンツ提供装置から第１のコンテンツに合成して第１の放送チャンネルで提供されるトリガコンテンツによりその提供がトリガされる第２のコンテンツであって、複数の他のコンテンツ提供装置がそれぞれの第１の放送チャンネルで提供する第１のコンテンツのそれぞれに対応する、同一のテンプレートに基づき生成された、共通化されたコンテンツである複数の第２のコンテンツを取得する取得手段と、複数の第２のコンテンツを、１つの第２の放送チャンネルで送信する送信手段とを備えることを特徴とする。
【００１８】
送信された前記第２のコンテンツに基づいて視聴者から入力された情報を、ネットワークを介して受信し、保持する保持手段をさらに備えるようにすることができる。
【００１９】
前記取得手段は、第２のコンテンツとして、第１のコンテンツを視聴している視聴者にアンケートを入力させるためのコンテンツ、または視聴者が商品を購入するために必要な情報を入力させるためのコンテンツを取得することができる。
【００２０】
本発明の第２のコンテンツ提供方法は、他のコンテンツ提供装置から第１のコンテンツに合成して第１の放送チャンネルで提供されるトリガコンテンツによりその提供がトリガされる第２のコンテンツであって、複数の他のコンテンツ提供装置がそれぞれの第１の放送チャンネルで提供する第１のコンテンツのそれぞれに対応する、同一のテンプレートに基づき生成された、共通化されたコンテンツである複数の第２のコンテンツを取得する取得ステップと、複数の第２のコンテンツを、１つの第２の放送チャンネルで送信する送信ステップとを含むことを特徴とする。
【００２１】
送信された前記第２のコンテンツに基づいて視聴者から入力された情報を、ネットワークを介して受信し、保持する保持ステップをさらに含むようにすることができる。
【００２２】
前記取得ステップは、第２のコンテンツとして、第１のコンテンツを視聴している視聴者にアンケートを入力させるためのコンテンツ、または視聴者が商品を購入するために必要な情報を入力させるためのコンテンツを取得することができる。
【００２３】
本発明の第１の記録媒体のプログラムは、コンテンツ提供装置のプログラムであって、他のコンテンツ提供装置から第１のコンテンツに合成して第１の放送チャンネルで提供されるトリガコンテンツによりその提供がトリガされる第２のコンテンツであって、複数の他のコンテンツ提供装置がそれぞれの第１の放送チャンネルで提供する第１のコンテンツのそれぞれに対応する、同一のテンプレートに基づき生成された、共通化されたコンテンツである複数の第２のコンテンツを取得する取得ステップと、複数の第２のコンテンツを、１つの第２の放送チャンネルで送信する送信ステップとを含むことを特徴とする。
【００２４】
送信された前記第２のコンテンツに基づいて視聴者から入力された情報を、ネットワークを介して受信し、保持する保持ステップをさらに含むようにすることができる。
【００２５】
前記取得ステップは、第２のコンテンツとして、第１のコンテンツを視聴している視聴者にアンケートを入力させるためのコンテンツ、または視聴者が商品を購入するために必要な情報を入力させるためのコンテンツを取得することができる。
【００２６】
本発明の第１のプログラムは、コンテンツ提供装置のプログラムであって、他のコンテンツ提供装置から第１のコンテンツに合成して第１の放送チャンネルで提供されるトリガコンテンツによりその提供がトリガされる第２のコンテンツであって、複数の他のコンテンツ提供装置がそれぞれの第１の放送チャンネルで提供する第１のコンテンツのそれぞれに対応する、同一のテンプレートに基づき生成された、共通化されたコンテンツである複数の第２のコンテンツを取得する取得ステップと、複数の第２のコンテンツを、１つの第２の放送チャンネルで送信する送信ステップとを含むことを特徴とする。
【００２７】
送信された前記第２のコンテンツに基づいて視聴者から入力された情報を、ネットワークを介して受信し、保持する保持ステップをさらに含むようにすることができる。
【００２８】
前記取得ステップは、第２のコンテンツとして、第１のコンテンツを視聴している視聴者にアンケートを入力させるためのコンテンツ、または視聴者が商品を購入するために必要な情報を入力させるためのコンテンツを取得することができる。
【００２９】
本発明のコンテンツ受信装置は、第１のコンテンツ提供装置が提供する第１のコンテンツを第１の放送チャンネルで受信するとともに、第２のコンテンツ提供装置が提供する第２のコンテンツを第２の放送チャンネルで受信する受信手段と、第１のコンテンツを第１の放送チャンネルで受信している状態において、第１のコンテンツに合成されているトリガコンテンツに基づいて、第２のコンテンツがトリガされたか否かを判定する判定手段と、判定手段により第２のコンテンツがトリガされたと判定された場合、受信するチャンネルを、第１の放送チャンネルから第２の放送チャンネルに切り替えるとともに、第２のコンテンツの視聴の終了が入力された場合、受信するチャンネルを、第２の放送チャンネルから第１の放送チャンネルに切り替えるように制御する切り替え制御手段とを備えることを特徴とする。
【００３０】
提供された前記第２のコンテンツに基づいて視聴者から入力された情報を、ネットワークを介して情報処理装置に送信する送信手段をさらに備えるようにすることができる。
【００３１】
前記受信手段は、第２のコンテンツとして、第１のコンテンツを視聴している視聴者にアンケートを入力させるためのコンテンツ、または視聴者が商品を購入するために必要な情報を入力させるためのコンテンツを受信することができる。
【００３２】
前記受信手段は、１つの第２の放送チャンネルで送信される、複数の第１のコンテンツ提供装置が自分自身の第１の放送チャンネルで提供する第１のコンテンツのそれぞれに対応する、同一のテンプレートに基づき生成された、共通化されたコンテンツである複数の第２のコンテンツの中から、受信している第１の放送チャンネルに対応する第２のコンテンツを選択して受信することができる。
【００３３】
本発明のコンテンツ受信方法は、第１のコンテンツ提供装置が提供する第１のコンテンツを第１の放送チャンネルで受信する第１の受信ステップと、第１のコンテンツを第１の放送チャンネルで受信している状態において、第１のコンテンツに合成されているトリガコンテンツに基づいて、第２のコンテンツが指示されたか否かを判定する判定ステップと、判定ステップの処理により第２のコンテンツが指示されたと判定された場合、受信するチャンネルを、第１のチャンネルから第２のチャンネルに切り替える第１の切り替え制御ステップと、第２のコンテンツ提供装置が提供する第２のコンテンツを第２の放送チャンネルで受信する第２の受信ステップと、第２のコンテンツの視聴の終了が入力された場合、受信するチャンネルを、第２の放送チャンネルから第１の放送チャンネルに切り替えるように制御する第２の切り替え制御ステップとを含むことを特徴とする。
【００３４】
提供された前記第２のコンテンツに基づいて視聴者から入力された情報を、ネットワークを介して情報処理装置に送信する送信ステップをさらに含むようにすることができる。
【００３５】
前記第２の受信ステップは、第２のコンテンツとして、第１のコンテンツを視聴している視聴者にアンケートを入力させるためのコンテンツ、または視聴者が商品を購入するために必要な情報を入力させるためのコンテンツを受信することができる。
【００３６】
前記第２の受信ステップは、１つの第２の放送チャンネルで送信される、複数の第１のコンテンツ提供装置が自分自身の第１の放送チャンネルで提供する第１のコンテンツのそれぞれに対応する、同一のテンプレートに基づき生成された、共通化されたコンテンツである複数の第２のコンテンツの中から、受信している第１の放送チャンネルに対応する第２のコンテンツを選択して受信することができる。
【００３７】
本発明の第２の記録媒体のプログラムは、第１のコンテンツ提供装置が提供する第１のコンテンツを第１の放送チャンネルで受信する第１の受信ステップと、第１のコンテンツを第１の放送チャンネルで受信している状態において、第１のコンテンツに合成されているトリガコンテンツに基づいて、第２のコンテンツが指示されたか否かを判定する判定ステップと、判定ステップの処理により第２のコンテンツが指示されたと判定された場合、受信するチャンネルを、第１のチャンネルから第２のチャンネルに切り替える第１の切り替え制御ステップと、第２のコンテンツ提供装置が提供する第２のコンテンツを第２の放送チャンネルで受信する第２の受信ステップと、第２のコンテンツの視聴の終了が入力された場合、受信するチャンネルを、第２の放送チャンネルから第１の放送チャンネルに切り替えるように制御する第２の切り替え制御ステップとを含むことを特徴とする。
【００３８】
提供された前記第２のコンテンツに基づいて視聴者から入力された情報を、ネットワークを介して情報処理装置に送信する送信ステップをさらに含むようにすることができる。
【００３９】
前記第２の受信ステップは、第２のコンテンツとして、第１のコンテンツを視聴している視聴者にアンケートを入力させるためのコンテンツ、または視聴者が商品を購入するために必要な情報を入力させるためのコンテンツを受信することができる。
【００４０】
前記第２の受信ステップは、１つの第２の放送チャンネルで送信される、複数の第１のコンテンツ提供装置が自分自身の第１の放送チャンネルで提供する第１のコンテンツのそれぞれに対応する、同一のテンプレートに基づき生成された、共通化されたコンテンツである複数の第２のコンテンツの中から、受信している第１の放送チャンネルに対応する第２のコンテンツを選択して受信することができる。
【００４１】
本発明の第２のプログラムは、第１のコンテンツ提供装置が提供する第１のコンテンツを第１の放送チャンネルで受信する第１の受信ステップと、第１のコンテンツを第１の放送チャンネルで受信している状態において、第１のコンテンツに合成されているトリガコンテンツに基づいて、第２のコンテンツが指示されたか否かを判定する判定ステップと、判定ステップの処理により第２のコンテンツが指示されたと判定された場合、受信するチャンネルを、第１のチャンネルから第２のチャンネルに切り替える第１の切り替え制御ステップと、第２のコンテンツ提供装置が提供する第２のコンテンツを第２の放送チャンネルで受信する第２の受信ステップと、第２のコンテンツの視聴の終了が入力された場合、受信するチャンネルを、第２の放送チャンネルから第１の放送チャンネルに切り替えるように制御する第２の切り替え制御ステップとを含むことを特徴とする。
【００４２】
提供された前記第２のコンテンツに基づいて視聴者から入力された情報を、ネットワークを介して情報処理装置に送信する送信ステップをさらに含むようにすることができる。
【００４３】
前記第２の受信ステップは、第２のコンテンツとして、第１のコンテンツを視聴している視聴者にアンケートを入力させるためのコンテンツ、または視聴者が商品を購入するために必要な情報を入力させるためのコンテンツを受信することができる。
【００４４】
前記第２の受信ステップは、１つの第２の放送チャンネルで送信される、複数の第１のコンテンツ提供装置が自分自身の第１の放送チャンネルで提供する第１のコンテンツのそれぞれに対応する、同一のテンプレートに基づき生成された、共通化されたコンテンツである複数の第２のコンテンツの中から、受信している第１の放送チャンネルに対応する第２のコンテンツを選択して受信することができる。
【００４５】
第１の本発明においては、第１のコンテンツを第１の放送チャンネルで受信している状態において、トリガコンテンツがトリガされた場合、受信装置は、受信するチャンネルを、第１の放送チャンネルから第２の放送チャンネルに切り替え、第２のコンテンツを受信する。第２のコンテンツの視聴の終了が入力された場合、受信するチャンネルは再び第２の放送チャンネルから第１の放送チャンネルに切り替えられる。
【００４６】
第２の本発明においては、複数の他のコンテンツの提供装置がそれぞれの第１の放送チャンネルで提供する第１のコンテンツにそれぞれ対応する、同一のテンプレートに基づき生成された、共通化されたコンテンツである複数の第２のコンテンツが送信される。
【００４７】
第３の本発明においては、第１のコンテンツを第１の放送チャンネルで受信している状態において、トリガコンテンツに基づいて、第２のコンテンツがトリガされたと判定された場合、受信するチャンネルが第１の放送チャンネルから第２の放送チャンネルに切り替えられる。第２のコンテンツの視聴の終了が入力された場合、受信するチャンネルは、第２の放送チャンネルから第１の放送チャンネルに切り替えられる。
【００４８】
【発明の実施の形態】
以下に本発明の実施の形態を説明するが、主要な請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００４９】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００５０】
［請求項１］  第１のコンテンツ提供装置（例えば、図１の放送装置３２−１）から第１のコンテンツ（例えば、図１４の番組コンテンツ３００）を、第２のコンテンツ（例えば、図１６の選択ボード４０１）の提供のトリガとなるトリガコンテンツ（例えば、図１４の「回答する」ボタン３０２）が合成された状態で第１の放送チャンネル（例えば、図１の放送装置３２−１の放送チャンネル）で提供し（例えば、図８のステップＳ１２の処理）、
第２のコンテンツ提供装置（例えば、図１の放送装置３１）から前記第２のコンテンツを第２の放送チャンネル（例えば、図１の放送装置３１の放送チャンネル）で提供し（例えば、図１２のステップＳ３２の処理）、
受信装置（例えば、図１のデジタルテレビジョン受像機１８−１）が前記第１のコンテンツを前記第１の放送チャンネルで受信している状態において、前記トリガコンテンツがトリガされた場合（例えば、図１４の「回答する」ボタン３０２がオンされ、図１３のステップＳ４３で回答が指示されたと判定された場合）、前記受信装置に、受信する放送チャンネルを前記第１の放送チャンネルから前記第２の放送チャンネルに切り替えさせて、前記第２のコンテンツ提供装置が提供している前記第２のコンテンツを受信させ（例えば、図１３のステップＳ４５の処理）、
前記受信装置において、前記第２のコンテンツの視聴の終了が入力された場合（例えば、図２０のボタン４７２がオンされ、図１３のステップＳ４９で入力が完了したと判定された場合）、前記受信装置に、受信する放送チャンネルを前記第２の放送チャンネルから前記第１の放送チャンネルに切り替えさせて、前記第１のコンテンツ提供装置が提供している前記第１のコンテンツを再び受信させる（例えば、図１３のステップＳ５２の処理）
ことを特徴とするコンテンツ提供システム（例えば、図１の放送システム１）。
［請求項２］  前記受信装置は、提供された前記第２のコンテンツに基づいて視聴者から入力された情報（例えば、図１６の選択ボード４０１で選択されたアンケート）を、ネットワーク（例えば、図１のネットワーク１０）を介して情報処理装置（例えば、図１のデータセンター装置４１）に送信する（例えば、図１３のステップＳ５０の処理）
ことを特徴とする請求項１に記載のコンテンツ提供システム。
［請求項３］  前記第２のコンテンツ提供装置は、前記第２のコンテンツとして、前記第１のコンテンツを視聴している視聴者にアンケートを入力させるためのコンテンツ（例えば、図１６の選択ボード４０１）、または視聴者が商品を購入するために必要な情報を入力させるためのコンテンツ（例えば、図２８の商品購入時の内容確認ボード６６１）を提供する
ことを特徴とする請求項１に記載のコンテンツ提供システム。
［請求項４］  １つの前記第２の放送チャンネル（例えば、図１の放送装置３１の放送チャンネル）により、複数の前記第１の放送チャンネル（例えば、図１の放送装置３２−１乃至３２−３の放送チャンネル）の前記第１のコンテンツのそれぞれに対応する複数の前記第２のコンテンツを提供し（例えば、図９のステップＳ２１，Ｓ２２）、
前記第２のコンテンツ提供装置は、複数の前記第２のコンテンツとして、同一のテンプレート（例えば、図１６の選択ボード４０１）に基づき生成された、共通化されたコンテンツを放送する
ことを特徴とする請求項１に記載のコンテンツ提供システム。
［請求項５］  第１のコンテンツ提供装置（例えば、図１の放送装置３２−１）から第１のコンテンツ（例えば、図１４の番組コンテンツ３００）を、第２のコンテンツ（例えば、図１６の選択ボード４０１）の提供のトリガとなるトリガコンテンツ（例えば、図１４の「回答する」ボタン３０２）が合成された状態で第１の放送チャンネル（例えば、図１の放送装置３２−１の放送チャンネル）で提供し（例えば、図８のステップＳ１２の処理）、
第２のコンテンツ提供装置（例えば、図１の放送装置３１）から前記第２のコンテンツを第２の放送チャンネル（例えば、図１の放送装置３１の放送チャンネル）で提供し（例えば、図１２のステップＳ３２の処理）、
受信装置（例えば、図１のデジタルテレビジョン受像機１８−１）が前記第１のコンテンツを前記第１の放送チャンネルで受信している状態において、前記トリガコンテンツがトリガされた場合（例えば、図１４の「回答する」ボタン３０２がオンされ、図１３のステップＳ４３で回答が指示されたと判定された場合）、前記受信装置に、受信する放送チャンネルを前記第１の放送チャンネルから前記第２の放送チャンネルに切り替えさせて、前記第２のコンテンツ提供装置が提供している前記第２のコンテンツを受信させ（例えば、図１３のステップＳ４５の処理）、
前記受信装置において、前記第２のコンテンツの視聴の終了が入力された場合（例えば、図２０のボタン４７２がオンされ、図１３のステップＳ４９で入力が完了したと判定された場合）、前記受信装置に、受信する放送チャンネルを前記第２の放送チャンネルから前記第１の放送チャンネルに切り替えさせて、前記第１のコンテンツ提供装置が提供している前記第１のコンテンツを再び受信させる（例えば、図１３のステップＳ５２の処理）
ことを特徴とするコンテンツ提供方法。
［請求項６］  前記受信装置は、提供された前記第２のコンテンツに基づいて視聴者から入力された情報（例えば、図１６の選択ボード４０１で選択されたアンケート）を、ネットワーク（例えば、図１のネットワーク１０）を介して情報処理装置（例えば、図１のデータセンター装置４１）に送信する（例えば、図１３のステップＳ５０の処理）
ことを特徴とする請求項５に記載のコンテンツ提供方法。
［請求項７］  前記第２のコンテンツ提供装置は、前記第２のコンテンツとして、前記第１のコンテンツを視聴している視聴者にアンケートを入力させるためのコンテンツ（例えば、図１６の選択ボード４０１）、または視聴者が商品を購入するために必要な情報を入力させるためのコンテンツ（例えば、図２８の商品購入時の内容確認ボード６６１）を提供する
ことを特徴とする請求項５に記載のコンテンツ提供方法。
［請求項８］  １つの前記第２の放送チャンネル（例えば、図１の放送装置３１の放送チャンネル）により、複数の前記第１の放送チャンネル（例えば、図１の放送装置３２−１乃至３２−３の放送チャンネル）の前記第１のコンテンツのそれぞれに対応する複数の前記第２のコンテンツを提供し（例えば、図９のステップＳ２２）、
前記第２のコンテンツ提供装置は、複数の前記第２のコンテンツとして、同一のテンプレート（例えば、図１６の選択ボード４０１）に基づき生成された、共通化されたコンテンツを放送する
ことを特徴とする請求項５に記載のコンテンツ提供方法。
［請求項９］  他のコンテンツ提供装置（例えば、図１の放送装置３２−１）から第１のコンテンツ（例えば、図１４の番組コンテンツ３００）に合成して第１の放送チャンネル（例えば、図１の放送装置３２−１の放送チャンネル）で提供されるトリガコンテンツ（例えば、図１４の「回答する」ボタン３０２）によりその提供がトリガされる第２のコンテンツ（例えば、図１６の選択ボード４０１）であって、複数の前記他のコンテンツ提供装置がそれぞれの前記第１の放送チャンネル（例えば、図１の放送装置３２−１乃至３２−３の放送チャンネル）で提供する前記第１のコンテンツのそれぞれに対応する、同一のテンプレートに基づき生成された、共通化されたコンテンツである複数の前記第２のコンテンツ（例えば、図１６の選択ボード４０１）を取得する取得手段（例えば、図３のトランザクションコンテンツ出力部９２）と、
複数の前記第２のコンテンツを、１つの第２の放送チャンネル（例えば、図１の放送装置３１の放送チャンネル）で送信する送信手段（例えば、図３の出力部８４）と
を備えることを特徴とするコンテンツ提供装置（例えば、図１の放送装置３１）。
［請求項１０］  送信された前記第２のコンテンツに基づいて視聴者から入力された情報（例えば、図１６の選択ボード４０１に基づいて選択されたアンケート）を、ネットワーク（例えば、図１のネットワーク１０）を介して受信し、保持する（例えば、図２２のステップＳ７１の処理）保持手段（例えば、図１のデータセンター装置４１）をさらに備える
ことを特徴とする請求項９に記載のコンテンツ提供装置。
［請求項１１］  前記取得手段は、前記第２のコンテンツとして、前記第１のコンテンツを視聴している視聴者にアンケートを入力させるためのコンテンツ（例えば、図１６の選択ボード４０１）、または視聴者が商品を購入するために必要な情報を入力させるためのコンテンツ（例えば、図２８の商品購入時の内容確認ボード６６１）を取得する
ことを特徴とする請求項９に記載のコンテンツ提供装置。
［請求項１２］  コンテンツ提供装置（例えば、図１の放送装置３１）のコンテンツ提供方法において、
他のコンテンツ提供装置（例えば、図１の放送装置３２−１）から第１のコンテンツ（例えば、図１４の番組コンテンツ３００）に合成して第１の放送チャンネル（例えば、図１の放送装置３２−１の放送チャンネル）で提供されるトリガコンテンツ（例えば、図１４の「回答する」ボタン３０２）によりその提供がトリガされる第２のコンテンツ（例えば、図１６の選択ボード４０１）であって、複数の前記他のコンテンツ提供装置がそれぞれの前記第１の放送チャンネル（例えば、図１の放送装置３２−１乃至３２−３がそれぞれの放送チャンネル）で提供する前記第１のコンテンツのそれぞれに対応する、同一のテンプレート（例えば、図１６の選択ボード４０１）に基づき生成された、共通化されたコンテンツである複数の前記第２のコンテンツを取得する取得ステップ（例えば、図８のステップＳ２１）と、
複数の前記第２のコンテンツを、１つの第２の放送チャンネル（例えば、図１の放送装置３１の放送チャンネル）で送信する送信ステップ（例えば、図８のステップＳ２２）と
を含むことを特徴とするコンテンツ提供方法。
［請求項１３］  送信された前記第２のコンテンツに基づいて視聴者から入力された情報（例えば、図１６の選択ボード４０１に基づいて選択されたアンケート）を、ネットワーク（例えば、図１のネットワーク１０）を介して受信し、保持する保持ステップ（例えば、図２２のステップＳ７１）をさらに含む
ことを特徴とする請求項１２に記載のコンテンツ提供方法。
［請求項１４］  前記取得ステップは、前記第２のコンテンツとして、前記第１のコンテンツを視聴している視聴者にアンケートを入力させるためのコンテンツ（例えば、図１６の選択ボード４０１）、または視聴者が商品を購入するために必要な情報を入力させるためのコンテンツ（例えば、図２８の商品購入時の内容確認ボード６６１）を取得する
ことを特徴とする請求項１２に記載のコンテンツ提供方法。
［請求項１５］  コンテンツ提供装置（例えば、図１の放送装置３１）のプログラムであって、
他のコンテンツ提供装置（例えば、図１の放送装置３２−１）から第１のコンテンツ（例えば、図１４の番組コンテンツ３００）に合成して第１の放送チャンネル（例えば、図１の放送装置３２−１の放送チャンネル）で提供されるトリガコンテンツ（例えば、図１４の「回答する」ボタン３０２）によりその提供がトリガされる第２のコンテンツ（例えば、図１６の選択ボード４０１）であって、複数の前記他のコンテンツ提供装置がそれぞれの前記第１の放送チャンネル（例えば、図１の放送装置３２−１乃至３２−３がそれぞれの放送チャンネル）で提供する前記第１のコンテンツのそれぞれに対応する、同一のテンプレート（例えば、図１６の選択ボード４０１）に基づき生成された、共通化されたコンテンツである複数の前記第２のコンテンツを取得する取得ステップ（例えば、図８のステップＳ２１）と、
複数の前記第２のコンテンツを、１つの第２の放送チャンネル（例えば、図１の放送装置３１の放送チャンネル）で送信する送信ステップ（例えば、図８のステップＳ２２）と
を含むことを特徴とするコンピュータが読み取り可能なプログラムが記録されている記録媒体。
［請求項１６］  送信された前記第２のコンテンツに基づいて視聴者から入力された情報（例えば、図１６の選択ボード４０１に基づいて選択されたアンケート）を、ネットワーク（例えば、図１のネットワーク１０）を介して受信し、保持する保持ステップ（例えば、図２２のステップＳ７１）をさらに含む
ことを特徴とする請求項１５に記載の記録媒体。
［請求項１７］  前記取得ステップは、前記第２のコンテンツとして、前記第１のコンテンツを視聴している視聴者にアンケートを入力させるためのコンテンツ（例えば、図１６の選択ボード４０１）、または視聴者が商品を購入するために必要な情報を入力させるためのコンテンツ（例えば、図２８の商品購入時の内容確認ボード６６１）を取得する
ことを特徴とする請求項１５に記載の記録媒体。
［請求項１８］  コンテンツ提供装置（例えば、図１の放送装置３１）のプログラムであって、
他のコンテンツ提供装置（例えば、図１の放送装置３２−１）から第１のコンテンツ（例えば、図１４の番組コンテンツ３００）に合成して第１の放送チャンネル（例えば、図１の放送装置３２−１の放送チャンネル）で提供されるトリガコンテンツ（例えば、図１４の「回答する」ボタン３０２）によりその提供がトリガされる第２のコンテンツ（例えば、図１６の選択ボード４０１）であって、複数の前記他のコンテンツ提供装置がそれぞれの前記第１の放送チャンネル（例えば、図１の放送装置３２−１乃至３２−３がそれぞれの放送チャンネル）で提供する前記第１のコンテンツのそれぞれに対応する、同一のテンプレート（例えば、図１６の選択ボード４０１）に基づき生成された、共通化されたコンテンツである複数の前記第２のコンテンツを取得する取得ステップ（例えば、図８のステップＳ２１）と、
複数の前記第２のコンテンツを、１つの第２の放送チャンネル（例えば、図１の放送装置３１の放送チャンネル）で送信する送信ステップ（例えば、図８のステップＳ２２）と
を含むことを特徴とするコンピュータが読み取り可能なプログラム。
［請求項１９］  送信された前記第２のコンテンツに基づいて視聴者から入力された情報（例えば、図１６の選択ボード４０１に基づいて選択されたアンケート）を、ネットワーク（例えば、図１のネットワーク１０）を介して受信し、保持する保持ステップ（例えば、図２２のステップＳ７１）をさらに含む
ことを特徴とする請求項１８に記載のプログラム。
［請求項２０］  前記取得ステップは、前記第２のコンテンツとして、前記第１のコンテンツを視聴している視聴者にアンケートを入力させるためのコンテンツ（例えば、図１６の選択ボード４０１）、または視聴者が商品を購入するために必要な情報を入力させるためのコンテンツ（例えば、図２８の商品購入時の内容確認ボード６６１）を取得する
ことを特徴とする請求項１８に記載のプログラム。
［請求項２１］  第１のコンテンツ提供装置（例えば、図１の放送装置３２−１）が提供する第１のコンテンツ（例えば、図１４の番組コンテンツ３００）を第１の放送チャンネル（例えば、図１の放送装置３２−１の放送チャンネル）で受信する（例えば、図１３のステップＳ４１）とともに、第２のコンテンツ提供装置（例えば、図１の放送装置３１）が提供する第２のコンテンツ（例えば、図１６の選択ボード４０１）を第２の放送チャンネル（例えば、図１の放送装置３１の放送チャンネル）で受信する（例えば、図１３のステップＳ４５の処理）受信手段（例えば、図５の受信部１３４）と、
前記第１のコンテンツを前記第１の放送チャンネルで受信している状態において、前記第１のコンテンツに合成されているトリガコンテンツ（例えば、図１４の「回答する」ボタン３０２）に基づいて、前記第２のコンテンツがトリガされたか否かを判定する判定手段（例えば、図１３のステップＳ４３の処理を実行する図５の判定部１３２）と、
前記判定手段により前記第２のコンテンツがトリガされたと判定された場合、受信するチャンネルを、前記第１の放送チャンネルから前記第２の放送チャンネルに切り替える（例えば、図１３のステップＳ４５の処理）とともに、前記第２のコンテンツの視聴の終了が入力された場合、受信するチャンネルを、前記第２の放送チャンネルから前記第１の放送チャンネルに切り替える（例えば、図１３のステップＳ５２の処理）ように制御する切り替え制御手段（例えば、図５の受信チャンネル設定部１３３）と
を備えることを特徴とするコンテンツ受信装置（例えば、図１のデジタルテレビジョン受像機１８−１）。
［請求項２２］  提供された前記第２のコンテンツに基づいて視聴者から入力された情報（例えば、図１６の選択ボード４０１に基づいて選択されたアンケート）を、ネットワーク（例えば、図１のネットワーク１０）を介して情報処理装置（例えば、図１のデータセンター装置４１）に送信する送信手段（例えば、図１３のステップＳ５０の処理を実行する図５の通信部１３８）をさらに備える
ことを特徴とする請求項２１に記載のコンテンツ受信装置。
［請求項２３］  前記受信手段は、前記第２のコンテンツとして、前記第１のコンテンツを視聴している視聴者にアンケートを入力させるためのコンテンツ（例えば、図１６の選択ボード４０１）、または視聴者が商品を購入するために必要な情報を入力させるためのコンテンツ（例えば、図２８の商品購入時の内容確認ボード６６１）を受信する
ことを特徴とする請求項２１に記載のコンテンツ受信装置。
［請求項２４］  前記受信手段は、１つの前記第２の放送チャンネル（例えば、図１の放送装置３１の放送チャンネル）で送信される、複数の前記第１のコンテンツ提供装置が自分自身の前記第１の放送チャンネル（例えば、図１の放送装置３２−１乃至３２−３がそれぞれの放送チャンネル）で提供する前記第１のコンテンツのそれぞれに対応する、同一のテンプレート（例えば、図１６の選択ボード４０１）に基づき生成された、共通化されたコンテンツである複数の前記第２のコンテンツの中から、受信している前記第１の放送チャンネルに対応する前記第２のコンテンツを選択して受信する（例えば、図１３のステップＳ４５）
ことを特徴とする請求項２１に記載のコンテンツ受信装置。
［請求項２５］  第１のコンテンツ提供装置（例えば、図１の放送装置３２−１）が提供する第１の放送コンテンツ（例えば、図１４の番組コンテンツ３００）を第１の放送チャンネル（例えば、図１の放送装置３２−１の放送チャンネル）で受信する第１の受信ステップ（例えば、図１３のステップＳ４１）と、
前記第１のコンテンツを前記第１の放送チャンネルで受信している状態において、前記第１のコンテンツに合成されているトリガコンテンツ（例えば、図１４の「回答する」ボタン３０２）に基づいて、第２のコンテンツがトリガされたか否かを判定する判定ステップ（例えば、図１３のステップＳ４３）と、
前記判定ステップの処理により前記第２のコンテンツがトリガされたと判定された場合、受信するチャンネルを、前記第１のチャンネルから前記第２のチャンネルに切り替える第１の切り替え制御ステップ（例えば、図１３のステップＳ４５）と、
前記第２のコンテンツ提供装置（例えば、図１の放送装置３１）が提供する前記第２のコンテンツ（例えば、図１６の選択ボード４０１）を前記第２の放送チャンネル（例えば、図１の放送装置３１の放送チャンネル）で受信する第２の受信ステップ（例えば、図１３のステップＳ４５，Ｓ４６）と、
前記第２のコンテンツの視聴の終了が入力された場合、受信するチャンネルを、前記第２の放送チャンネルから前記第１の放送チャンネルに切り替えるように制御する第２の切り替え制御ステップ（例えば、図１３のステップＳ５２）と
を含むことを特徴とするコンテンツ受信方法。
［請求項２６］  提供された前記第２のコンテンツに基づいて視聴者から入力された情報（例えば、図１６の選択ボード４０１に基づいて選択されたアンケート）を、ネットワーク（例えば、図１のネットワーク１０）を介して情報処理装置（例えば、図１のデータセンター装置４１）に送信する送信ステップ（例えば、図１３のステップＳ５０）をさらに含む
ことを特徴とする請求項２５に記載のコンテンツ受信方法。
［請求項２７］  前記第２の受信ステップは、前記第２のコンテンツとして、前記第１のコンテンツを視聴している視聴者にアンケートを入力させるためのコンテンツ（例えば、図１６の選択ボード４０１）、または視聴者が商品を購入するために必要な情報を入力させるためのコンテンツ（例えば、図２８の商品購入時の内容確認ボード６６１）を受信する
ことを特徴とする請求項２５に記載のコンテンツ受信方法。
［請求項２８］  前記第２の受信ステップは、１つの前記第２の放送チャンネル（例えば、図１の放送装置３１の放送チャンネル）で送信される、複数の前記第１のコンテンツ提供装置が自分自身の前記第１の放送チャンネル（例えば、図１の放送装置３２−１乃至３２−３がそれぞれの放送チャンネル）で提供する前記第１のコンテンツのそれぞれに対応する、同一のテンプレート（例えば、図１６の選択ボード４０１）に基づき生成された、共通化されたコンテンツである複数の前記第２のコンテンツの中から、受信している前記第１の放送チャンネルに対応する前記第２のコンテンツを選択して受信する（例えば、図１３のステップＳ４６）
ことを特徴とする請求項２５に記載のコンテンツ受信方法。
［請求項２９］  第１のコンテンツ提供装置（例えば、図１の放送装置３２−１）が提供する第１のコンテンツ（例えば、図１４の番組コンテンツ３００）を第１の放送チャンネル（例えば、図１の放送装置３２−１の放送チャンネル）で受信する第１の受信ステップ（例えば、図１３のステップＳ４１）と、
前記第１のコンテンツを前記第１の放送チャンネルで受信している状態において、前記第１のコンテンツに合成されているトリガコンテンツ（例えば、図１４の「回答する」ボタン３０２）に基づいて、第２のコンテンツがトリガされたか否かを判定する判定ステップ（例えば、図１３のステップＳ４３）と、
前記判定ステップの処理により前記第２のコンテンツがトリガされたと判定された場合、受信するチャンネルを、前記第１のチャンネルから前記第２のチャンネルに切り替える第１の切り替え制御ステップ（例えば、図１３のステップＳ４５）と、
前記第２のコンテンツ提供装置（例えば、図１の放送装置３１）が提供する前記第２のコンテンツ（例えば、図１６の選択ボード４０１）を前記第２の放送チャンネル（例えば、図１の放送装置３１の放送チャンネル）で受信する第２の受信ステップ（例えば、図１３のステップＳ４５，Ｓ４６）と、
前記第２のコンテンツの視聴の終了が入力された場合、受信するチャンネルを、前記第２の放送チャンネルから前記第１の放送チャンネルに切り替えるように制御する第２の切り替え制御ステップ（例えば、図１３のステップＳ５２）と
を含むことを特徴とするコンピュータが読み取り可能なプログラムが記録されている記録媒体。
［請求項３０］  提供された前記第２のコンテンツに基づいて視聴者から入力された情報（例えば、図１６の選択ボード４０１に基づいて選択されたアンケート）を、ネットワーク（例えば、図１のネットワーク１０）を介して情報処理装置（例えば、図１のデータセンター装置４１）に送信する送信ステップ（例えば、図１３のステップＳ５０）をさらに含む
ことを特徴とする請求項２９に記載の記録媒体。
［請求項３１］  前記第２の受信ステップは、前記第２のコンテンツとして、前記第１のコンテンツを視聴している視聴者にアンケートを入力させるためのコンテンツ（例えば、図１６の選択ボード４０１）、または視聴者が商品を購入するために必要な情報を入力させるためのコンテンツ（例えば、図２８の商品購入時の内容確認ボード６６１）を受信する
ことを特徴とする請求項２９に記載の記録媒体。
［請求項３２］  前記第２の受信ステップは、１つの前記第２の放送チャンネル（例えば、図１の放送装置３１の放送チャンネル）で送信される、複数の前記第１のコンテンツ提供装置が自分自身の前記第１の放送チャンネル（例えば、図１の放送装置３２−１乃至３２−３がそれぞれの放送チャンネル）で提供する前記第１のコンテンツのそれぞれに対応する、同一のテンプレート（例えば、図１６の選択ボード４０１）に基づき生成された、共通化されたコンテンツである複数の前記第２のコンテンツの中から、受信している前記第１の放送チャンネルに対応する前記第２のコンテンツを選択して受信する（例えば、図１３のステップＳ４６）
ことを特徴とする請求項２９に記載の記録媒体。
［請求項３３］  第１のコンテンツ提供装置（例えば、図１の放送装置３２−１）が提供する第１のコンテンツ（例えば、図１４の番組コンテンツ３００）を第１の放送チャンネル（例えば、図１の放送装置３２−１の放送チャンネル）で受信する第１の受信ステップ（例えば、図１３のステップＳ４１）と、
前記第１のコンテンツを前記第１の放送チャンネルで受信している状態において、前記第１のコンテンツのに合成されているトリガコンテンツ（例えば、図１４の「回答する」ボタン３０２）に基づいて、第２のコンテンツがトリガされたか否かを判定する判定ステップ（例えば、図１３のステップＳ４３）と、
前記判定ステップの処理により前記第２のコンテンツがトリガされたと判定された場合、受信するチャンネルを、前記第１のチャンネルから前記第２のチャンネルに切り替える第１の切り替え制御ステップ（例えば、図１３のステップＳ４５）と、
前記第２のコンテンツ提供装置（例えば、図１の放送装置３１）が提供する前記第２のコンテンツ（例えば、図１６の選択ボード４０１）を前記第２の放送チャンネル（例えば、図１の放送装置３１の放送チャンネル）で受信する第２の受信ステップ（例えば、図１３のステップＳ４５，Ｓ４６）と、
前記第２のコンテンツの視聴の終了が入力された場合、受信するチャンネルを、前記第２の放送チャンネルから前記第１の放送チャンネルに切り替えるように制御する第２の切り替え制御ステップ（例えば、図１３のステップＳ５２）と
を含むことを特徴とするコンピュータが読み取り可能なプログラム。
［請求項３４］  提供された前記第２のコンテンツに基づいて視聴者から入力された情報（例えば、図１６の選択ボード４０１に基づいて選択されたアンケート）を、ネットワーク（例えば、図１のネットワーク１０）を介して情報処理装置（例えば、図１のデータセンター装置４１）に送信する送信ステップ（例えば、図１３のステップＳ５０）をさらに含む
ことを特徴とする請求項３３に記載のプログラム。
［請求項３５］  前記第２の受信ステップは、前記第２のコンテンツとして、前記第１のコンテンツを視聴している視聴者にアンケートを入力させるためのコンテンツ（例えば、図１６の選択ボード４０１）、または視聴者が商品を購入するために必要な情報を入力させるためのコンテンツ（例えば、図２８の商品購入時の内容確認ボード６６１）を受信する
ことを特徴とする請求項３３に記載のプログラム。
［請求項３６］  前記第２の受信ステップは、１つの前記第２の放送チャンネル（例えば、図１の放送装置３１の放送チャンネル）で送信される、複数の前記第１のコンテンツ提供装置が自分自身の前記第１の放送チャンネル（例えば、図１の放送装置３２−１乃至３２−３がそれぞれの放送チャンネル）で提供する前記第１のコンテンツのそれぞれに対応する、同一のテンプレート（例えば、図１６の選択ボード４０１）に基づき生成された、共通化されたコンテンツである複数の前記第２のコンテンツの中から、受信している前記第１の放送チャンネルに対応する前記第２のコンテンツを選択して受信する（例えば、図１３のステップＳ４６）
ことを特徴とする請求項３３に記載のプログラム。
【００５１】
次に、本発明の実施の形態について説明する。
【００５２】
図１は、本発明を適用した放送システムの構成例を示している。このデジタル放送システム１においては、放送局１１が有する放送装置３１が出力するデジタルテレビジョン放送信号が送信装置１３に供給されている。同様に、放送局１２−１，１２−２，１２−３が有する放送装置３２−１，３２−２，３２−３が出力するデジタルテレビジョン放送信号が送信装置１３に供給されている。送信装置１３は、放送装置３１並びに放送装置３２−１乃至３２−３より供給されたテレビジョン放送信号を多重化し、アンテナ１４から衛星２０を介して放送する。衛星２０は、デジタル方式のＢＳ（Ｂｒｏａｄｃａｓｔ  Ｓａｔｅｌｌｉｔｅ）、ＣＳ（Ｃｏｍｍｕｎｉｃａｔｉｏｎ  Ｓａｔｅｌｌｉｔｅ）、１１０度ＣＳ等で構成される。
【００５３】
デジタルテレビジョン受像機１８−１，１８−２，１８−３，１８−４は、それぞれアンテナ１９−１，１９−２，１９−３，１９−４を介して衛星２０からのデジタルテレビジョン放送信号を受信する。
【００５４】
デジタルテレビジョン受像機１８−１乃至１８−４は、インターネットその他のネットワークにより構成されるネットワーク１０に接続されている。ネットワーク１０には、さらに、データセンター１５のデータセンター装置４１や課金センター１６の課金センター装置４２の他、販売店１７の販売店装置４３が接続されている。
【００５５】
データセンター装置４１は、デジタルテレビジョン受像機１８−１乃至１８−４が送信するデータを収集する。課金センター装置４２は、デジタルテレビジョン受像機１８−１乃至１８−４の視聴者が、放送装置３２−１乃至３２−３が提供するトランザクションコンテンツに基づいて、商品を購入した場合の課金処理を行う。販売店装置４３は、商品の配送処理を行う。
【００５６】
なお、図１には、４台の放送装置と１台の送信装置のみを示したが、より多くの数の放送装置と送信装置を設けるようにしても良いのは元よりである。同様に、デジタルテレビジョン受像機も４台のみが示されているが、実際には、もっと多くの数のデジタルテレビジョン受像機がテレビジョン放送信号を受信する。
【００５７】
データセンター装置４１、課金センター装置４２、および販売店装置４３も、それぞれ１台ずつである必要はなく、複数台とすることができる。また、データセンター装置４１は、必要に応じて、放送装置３１と一体化するようにしてもよい。
【００５８】
このデジタル放送システム１においては、放送装置３２−１乃至３２−３は、番組コンテンツを放送するとともに、それに付随してトランザクションコンテンツを放送する。但し、実際には、トランザクションコンテンツは、放送装置３１から放送される。放送装置３２−１乃至３２−３は、実際には、トランザクションコンテンツそのものは放送せずに、番組コンテンツからトランザクションコンテンツに遷移するためのきっかけ（トリガ）を与えるトリガコンテンツを放送する。
【００５９】
なお、以下においては、放送装置３２−１乃至３２−３を個々に区別する必要がない場合、単に放送装置３２と称する。同様に、デジタルテレビジョン受像機１８−１乃至１８−４をそれぞれ個々に区別する必要がない場合、単にデジタルテレビジョン受像機１８と称する。アンテナ１９−１乃至１９−４も同様に、それぞれを個々に区別する必要がない場合には、単にアンテナ１９と称する。
【００６０】
図２は、放送装置３２の構成例を表している。番組コンテンツ出力部６１は、磁気テープ、ハードディスク、光ディスク、その他の記録媒体に記録されている番組コンテンツを保持している。トリガコンテンツ出力部６２は、トリガコンテンツを保持している。このトリガコンテンツは、放送装置３２が番組コンテンツに付随して提供するトランザクションコンテンツ（番組コンテンツに付随するサブコンテンツ）に遷移するためのきっかけを与えるための（トリガするための）コンテンツである。
【００６１】
合成部６３は、番組コンテンツ出力部６１より出力された番組コンテンツ、並びにトリガコンテンツ出力部６２より出力されたトリガコンテンツを合成する。トリガコンテンツは、番組コンテンツの一部となるように合成されるが（番組コンテンツの画面上にトリガコンテンツが表示されるように合成されるが）、その合成自体を合成部６３で直接行うようにしてもよいし、デジタルテレビジョン受像機１８側で行うようにしてもよい。なお、番組コンテンツ出力部６１から出力される番組コンテンツに、トリガコンテンツが既に合成されている場合には、トリガコンテンツ出力部６２と合成部６３は省略することができる。
【００６２】
出力部６４は、合成部６３より供給されたコンテンツデータをデジタルテレビジョン信号として、送信装置１３に出力する。
【００６３】
制御部６５は、番組コンテンツ出力部６１、トリガコンテンツ出力部６２、合成部６３、並びに出力部６４のそれぞれの動作を制御する。
【００６４】
リムーバブルメディア６６は、必要に応じて放送装置３２に装着され、制御部６５に必要なコンピュータプログラムなどを供給する。
【００６５】
複数の放送装置３２−１乃至３２−３のトランザクションコンテンツを放送する放送装置３１は、図３に示されるように構成される。この放送装置３１における番組コンテンツ出力部８１乃至リムーバブルメディア８６は、図２の放送装置３２の番組コンテンツ出力部６１乃至リムーバブルメディア６６と対応する機能を有している。すなわち、この放送装置３１は、図２の放送装置３２と、トランザクションコンテンツ生成部９１、並びにトランザクションコンテンツ出力部９２を有する点が異なっているが、その他の構成は、図２の放送装置３２と同様である。
【００６６】
トランザクションコンテンツ生成部９１は、放送装置３１が放送装置３２−１乃至３２−３に代わって放送するトランザクションコンテンツを生成する。トランザクションコンテンツ出力部９２は、トランザクションコンテンツ生成部９１により生成されたトランザクションコンテンツを保持する。合成部８３は、トランザクションコンテンツ出力部９２より供給されたトランザクションコンテンツを出力部８４に供給し、送信装置１３に送信させる。
【００６７】
なお、放送装置３１は、基本的には、トランザクションコンテンツを送信装置３２に代わって放送する機能を有しているが、放送装置３２と同様に、自分自身の番組コンテンツを放送する機能も有している。
【００６８】
図４は、データセンター装置４１の構成例を表している。この構成例においては、通信部１１１がネットワーク１０を介してデジタルテレビジョン受像機１８と通信し、それから送信されてきたデータを受信するとともに、それに対して、正常、または異常を表す信号、受付番号等を送信する。トランザクションデータ抽出部１１２は、通信部１１１により受信されたデータからトランザクションデータを抽出し、保持する。分析部１１３は、トランザクションデータ抽出部１１２により抽出されたトランザクションデータの内容を分析し、保持する。
【００６９】
発注部１１４は、分析部１１３により分析した結果得られたトランザクションデータの内容が商品を購入するものである場合には、その商品を発注する処理を行う。課金処理部１１５は、発注部１１４により発注が行われた場合、その発注された商品に対する課金処理を行う。
【００７０】
制御部１１６は、通信部１１１乃至課金処理部１１５の動作を制御する。リムーバブルメディア１１７は、制御部１１６にコンピュータプログラムをロードする。
【００７１】
図５は、デジタルテレビジョン受像機１８の構成例を表している。受信部１３４は、放送装置３１と放送装置３２から衛星２０を介して放送されたデジタルテレビジョン信号をアンテナ１９を介して受信する。受信部１３４により受信されたテレビジョン信号のうち映像／音声部分を、映像／音声処理部１３５で復調し、表示部１３７に表示する。また、同テレビジョン信号のうち、データコンテンツ（トリガコンテンツ、トランザクションコンテンツなどを含む）を抽出し、汎用メモリ１３９（汎用記憶部１５１、トリガコンテンツ記憶部１５２、電文記憶部１５３を含む）に記憶する。
【００７２】
データコンテンツ処理部１３６は、汎用メモリ１３９に記憶したデータコンテンツを処理し、必要に応じて表示部１３７に出力し、表示させる。
【００７３】
受信チャンネル設定部１３３は、受付部１３１からの指令が判定部１３２によって受信チャンネル変更指令と判定されたときに、受信部１３４を制御し、受信部１３４に所定の放送チャンネルを受信させる。また、データコンテンツ処理部より受信チャンネル変更指令が発生したときに、受信部１３４を制御し、受信部１３４に所定の放送チャンネルを受信させる。
【００７４】
受付部１３４は、ユーザからの操作入力を受け付ける。受付して得られたデータは、判定部１３２に供給される。判定部１３２は、受付部１３１からの指令が受信チャンネル変更指令であるか、あるいは、データコンテンツ処理に必要な指令であるかを判定し、前者の場合には、受信チャンネル設定部１３３を制御し、受信部１３４に所定の放送チャンネルを受信させる。後者の場合は、データコンテンツ処理部１３６にデータを供給する。
【００７５】
Ｇレジスタ設定部１４１は、内蔵するＧレジスタに必要なデータを設定する。
【００７６】
通信部１３８はデータコンテンツ処理部１３６によって制御され、データセンター装置４１とネットワーク１０を介して通信し、受付部１３１により受け付けられた情報を、ユーザ情報記憶部１４０に記憶されているユーザ識別番号とともに電文化して送信したり、データセンター装置４１から送信されてきた電文（エラーコード、受付番号、受付日時等）を受信し、電文記憶部１５３に設定させる。
【００７７】
制御部１４２は、受付部１３１により受け付けられた視聴者からの指令、または、各部からの指令に基づいて、各部を制御する。リムーバブルメディア１４３は、必要に応じて、デジタルテレビジョン受像機１８に装着され、制御部１４２に適宜必要なコンピュータプログラム、その他のデータを供給する。
【００７８】
デジタルテレビジョン受像機１８は、受付部１３１に設けられたボタン、スイッチ等（図示せず）からの入力、または図６に示されるようなリモートコマンダ２０１からの入力に基づいて操作される。このリモートコマンダ２０１は、数字０乃至１２を入力するとき操作される数字ボタン２０２を有している。数字ボタン２０２の下方には、上下左右方向にカーソルを移動させるとき操作される方向ボタン２０３と、その方向ボタン２０３の中央に配置され、処理を確定するとき操作される決定ボタン２０４を有している。
【００７９】
数字ボタン２０２の左上方には、音量ボタン２０７とチャンネルボタン２０８が配置され、数字ボタン２０２の上方右側には、音量またはチャンネルをアップまたはダウンさせるとき操作されるボタン２０６が設けられている。ボタン２０６の上方には、電源をオンまたオフするとき操作される電源ボタン２０５が設けられている。さらに、リモートコマンダ２０１の図中上端面には、発光部２０９が設けられている。発光部２０９は、操作されたボタンに対応する赤外線信号を発生し、デジタルテレビジョン受像機１８の受付部１３１に出力する。
【００８０】
データボタン２１０は、必要に応じて設けられるボタンであり、動画放送上のデータ放送の表示または非表示を指令するとき操作される。
【００８１】
次に、図７のフローチャートを参照して、番組コンテンツの合成処理について説明する。便宜上、この処理を放送装置３２が行うものとするが、この処理が他の装置により既に行われた番組コンテンツの提供を受ける場合には、放送装置３２がこの処理を実行する必要はない。
【００８２】
ステップＳ１において、番組コンテンツ出力部６１は、放送する番組コンテンツを取得し、合成部６３に出力する。番組コンテンツに付随してアンケートのトランザクションコンテンツをデータ放送として放送する場合、ステップＳ２において、トリガコンテンツ出力部６２は、アンケートのトランザクションコンテンツに対応するトリガコンテンツを取得し、合成部６３に出力する。トリガコンテンツは、トランザクションコンテンツを識別する番号としてのアンケート番号と、トランザクションコンテンツを放送する放送チャンネルとしての指定チャンネルの他、所定の処理を実行するためのプログラムを含んでいる。なお、トランザクションコンテンツは、放送装置３２の放送チャンネルではなく、放送装置３１の放送チャンネルで放送されるため、いまの場合、指定チャンネルとしては、放送装置３１の放送チャンネルが指定される。
【００８３】
ステップＳ３において、合成部６３は、ステップＳ１において取得された番組コンテンツに、ステップＳ２において取得されたトリガコンテンツを、番組コンテンツの一部となるように合成する。この合成処理は、番組コンテンツの画面上にトリガコンテンツを配置することで行ってもよいし、番組コンテンツの画面の所定の位置に、トリガコンテンツが合成して表示させる表示コマンドを生成し、それをデジタルテレビジョン受像機１８に送信し、実際の合成は、デジタルテレビジョン受像機１８に行わせるようにしてもよい。
【００８４】
以上の処理がオフラインで行われる場合、得られた番組コンテンツが番組コンテンツ出力部６１に格納される。リアルタイムで行われる場合には、直ちにその放送処理が実行される。
【００８５】
放送処理は図８のフローチャートに示されるように実行される。ステップＳ１１において、番組コンテンツ出力部６１は、放送する番組コンテンツを取得する。
【００８６】
ステップＳ１２において、出力部６４は、合成部６３を介して番組コンテンツ出力部６１を介して供給された、トリガコンテンツが合成された番組コンテンツを送信装置１３に送信する。この処理は、リアルタイムでもよいが、オフラインで行ってもよい。
【００８７】
以上の処理が放送装置３２−１乃至３２−３のそれぞれにおいて、個別に実行される。
【００８８】
一方、放送装置３１は、放送装置３２−１乃至３２−３からオフラインで（勿論、オンラインでもよいが）供給された番組コンテンツからトランザクションコンテンツを抽出し、合成する処理を行う。この処理が図９のフローチャートに示されている。
【００８９】
最初に、ステップＳ２１において、トランザクションコンテンツ生成部９１は、放送装置３２−１乃至３２−３が放送する番組コンテンツのサブコンテンツとしてのトランザクションコンテンツを生成する。ステップＳ２２において、トランザクションコンテンツ生成部９１は、ステップＳ２１で生成したトランザクションコンテンツを合成する。
【００９０】
図１０は、トランザクションコンテンツの合成の例を表している。図１０に示されるように、コンテンツは、カルーセル方式で放送できるように合成される。すなわち、放送対象のデータをモジュール単位にパケット化し、複数のモジュールをリング状に繋げて、順番に送出するのがカルーセル方式である。図１０の例では、モジュールＩＤが「０ｘ００００」のトランザクションメインコンテンツの他、「０ｘ０００１」乃至「０ｘ０００４」のトランザクションコンテンツ１乃至トランザクションコンテンツ４が合成されている。トランザクションコンテンツ１は資料請求用、トランザクションコンテンツ２はアンケート用、トランザクションコンテンツ３は物販用、トランザクションコンテンツ４は無記名投票用、のそれぞれトランザクションコンテンツである。
【００９１】
モジュールＩＤが「０ｘ０００ｅ」のモジュールは、トランザクションコンテンツ共通素材とされる。モジュールＩＤが「０ｘ０００ｆ」のモジュールは、アンケート内容などの可変素材とされる。さらに、モジュールＩＤが「０ｘ００１０」のモジュールは、各トランザクションコンテンツに共通な共通部分とされる。モジュールＩＤが「０ｘ００００」乃至「０ｘ０００ｅ」，「０ｘ００１０」のコンテンツは、それぞれテンプレート化されたものである。モジュールＩＤが「０ｘ０００ｆ」のコンテンツは、差し替え素材とされ、他のコンテンツに適宜差替えられる内容を含む。
【００９２】
図１１は、トランザクションコンテンツが合成されたエレメンタリストリームの構成例を表している。この例においては、データエレメンタリストリーム番号が「０ｘ４０」，「０ｘ５０」，「０ｘ５１」，「０ｘ５２」，「０ｘ６ｄ」，「０ｘ６ｆ」の６個のエレメンタリストリームが示されている。
【００９３】
各エレメンタリストリームは、それぞれ必要な数のモジュールにより構成されている。各モジュールには、それぞれモジュールＩＤが付与されている。この例の場合、それらのうちの番号「０ｘ６ｆ」のエレメンタリストリームがトランザクションコンテンツとされている。その内容は図１０に示されている内容と同一である。
【００９４】
このように、「０ｘ６ｆ」のトランザクション用コンテンツには、複数の放送チャンネルのトランザクションコンテンツが含められている。従って、テレビジョン受像機１８においては、いずれの放送チャンネルのトランザクションコンテンツをも、任意のタイミングで取り込み、利用することが可能となる。
【００９５】
以上のようにして、生成されたトランザクションコンテンツは、放送装置３１により、常時放送されている。図１２は、この場合の処理例を表している。
【００９６】
ステップＳ３１において、トランザクションコンテンツ出力部９２は、トランザクションコンテンツ生成部９１により生成されたトランザクションコンテンツを取得する。ステップＳ３２において、トランザクションコンテンツ出力部９２は、ステップＳ３１の処理で取得したトランザクションコンテンツを合成部８３を介して、出力部８４に供給する。出力部８４は、供給されたトランザクションコンテンツを送信装置１３に送信する。
【００９７】
送信装置１３は、供給されたトランザクションコンテンツを含むコンテンツを、他の放送装置３２から供給されたトランザクションコンテンツと合成した上、放送装置３１のチャンネルで、衛星２０を介して各デジタルテレビジョン受像機１８に送信する。
【００９８】
なお、この例の場合、放送装置３１は、トランザクションコンテンツだけを放送しており、番組コンテンツは放送していない。
【００９９】
以上のようにして、デジタルテレビジョン放送が行われている場合におけるデジタルテレビジョン受像機１８のアンケート回答処理について、図１３のフローチャートを参照して説明する。
【０１００】
視聴者がリモートコマンダ２０１の数字ボタン２０２を操作して、例えば、放送装置３２−１の放送チャンネルを指定すると、受付部１３１は、リモートコマンダ２０１からの信号を受け付ける。このとき、受付部１３１は、指定された放送装置３２−１の放送チャンネルを指定する信号を受信チャンネル設定部１３３に出力する。受信チャンネル設定部１３３は、受付部１３１からの制御信号に基づいて、受信部１３４を制御し、指定された放送チャンネルを受信するように指示する。ステップＳ４１において、受信部１３４は、受信チャンネル設定部１３３により設定された放送チャンネルを受信すると、その受信信号を、映像／音声処理部１３５に出力する。映像／音声信号処理部１３５は、映像信号と音声信号を復調し、表示部１３７に出力する。これにより、例えば、放送装置３２−１が放送している番組コンテンツが受信され、表示部１３７に出力され、表示される。
【０１０１】
図１４は、このようにして表示部１３７に表示された番組コンテンツの表示例を表している。この表示例においては、番組コンテンツの画像３００には、「ただいま、アンケートを募集しています。ご回答いただける場合、下のボタンをオンして下さい。」のメッセージ３０１が表示され、その右下にトリガコンテンツとしての「回答する」ボタン３０２が表示されている。この「回答する」ボタン３０２は、所定の間だけ表示される。
【０１０２】
このように、「回答する」ボタン３０２は、極めて簡単なコンテンツであるため、その作成に要する手間と費用は放送装置３２−１の事業者にとって、それほど大きな負担にはならない。
【０１０３】
一方、ステップＳ４２で、トリガコンテンツ抽出部１３２は、表示されているトリガコンテンツに対応するデータ（プログラム）を抽出し、レジスタ記憶部１３３に供給し、記憶させる。
【０１０４】
図１５は、トリガコンテンツ（プログラム）に記述されているデータの例を表している。図１５の例においては、切り替えコマンド、指定チャンネル、モジュールＩＤ、およびアンケート識別番号が記述されている。指定チャンネルは、視聴者がリモートコマンダ２０１を操作して「回答する」ボタン３０２をクリックしたとき、切り替えられる放送チャンネル（いまの場合、放送装置３１の放送チャンネル）を表し、切り替えコマンドは、指定チャンネルに指定されている放送チャンネルを受信部１３４に受信させるためのコマンドである。モジュールＩＤとアンケート識別番号は、指定チャンネルで放送されているトランザクションコンテンツ（放送装置３２−１乃至３２−３のトランザクションコンテンツが多重化されている）の中から、抽出すべきトランザクションコンテンツ（放送装置３２−１乃至３２−２の複数のトランザクションコンテンツ（モジュール）の中から１つのモジュール）を識別するための識別番号である（図１０と図１１）。
【０１０５】
次に、ステップＳ４３において、判定部１３２は、受付部１３１からの入力に基づいて、視聴者からアンケートに回答することが指示されたか否かを判定する。具体的には、判定部１３２は、図１４における「回答する」ボタン３０２がオンされたか否かを判定する。視聴者は、アンケートに回答する場合には、リモートコマンダ２０１の方向ボタン２０３を操作することで、図示せぬカーソルを「回答する」ボタン３０２上に配置し、決定ボタン２０４を操作することで、回答することを指令する。
【０１０６】
ステップＳ４３において、視聴者より、回答が指示されたと判定した場合、ステップＳ４４に進み、Ｇレジスタ設定部１４１は、トリガコンテンツ記憶部１５２に記憶されているトリガコンテンツのモジュールＩＤとアンケート識別番号を内蔵するＧレジスタに設定する。次に、ステップＳ４５において、判定部１３２は、受信チャンネル設定部１３３を制御し、受信するチャンネルの切り替えを指令する。このとき、受信チャンネル設定部１３３は、受信するチャンネルを、Ｇレジスタ設定部１４１に記憶されている指定チャンネル（図１５）に切り替えるように、受信部１３４を制御する。受信部１３４は、この制御に基づいて、受信する放送チャンネルを、それまでの放送装置３２−１の放送チャンネルから、放送装置３１の放送チャンネル（指定チャンネル）に切り替え、切り替え後の放送チャンネルを受信する。
【０１０７】
ステップＳ４６において、データコンテンツ処理部１３６は、受信部１３４により受信されたデータの中から、レジスタに記憶されているモジュールＩＤのモジュール（トランザクションコンテンツ）を抽出し、表示部１３７に出力する。ステップＳ４７で、データコンテンツ処理部１３６は、レジスタに記憶されているアンケート識別番号に基づいて、アンケート入力のための、このトランザクションコンテンツを選択し、表示部１３７に出力し、表示させる。
【０１０８】
図１６は、このようにして、表示部１３７に表示されるトランザクションコンテンツの例を表している。この例においては、アンケートに対して、複数の回答を選択入力する選択ボート４０１の画像が表示されている。なお、図１６の表示例においては、文字が表示されていないが、実際には、各行にアンケートの回答としての文字が表示される。選択ボート４０１の左下には、手続を取り消すとき操作される「手続き取り消し」ボタン４０２が表示され、右下には、画面を戻すとき操作される「戻る」ボタン４０３と、画面を次の画面に進むとき操作される「次へ」ボタン４０４が表示されている。
【０１０９】
さらに、選択ボート４０１の左上には、ロゴマーク４０５が表示されている。このロゴマーク４０５は、放送装置３１が放送している放送チャンネルのロゴマークではなく、対象チャンネル（いまの場合、放送装置３２−１の放送チャンネル）のロゴマークである。
【０１１０】
従って、実際には、放送チャンネルが、放送装置３２−１の放送チャンネルから放送装置３１の放送チャンネルに切り替えられたのであるが、チャンネルが切り替えられていないような連続性を視聴者に提供することができる。
【０１１１】
図１７は、ステップＳ４７で表示されるアンケートを入力するためのトランザクションコンテンツの画面の他の表示例を表している。この表示例は、回答が１つのみ選択されて行われる場合の表示例を表している。この表示例においては、選択ボード４２１のいずれかの行が選択されると、他の行の選択が解除されるようになされている。
【０１１２】
図１８は、数値を入力するトランザクションコンテンツの画面の例を示している。この場合、視聴者は、リモートコマンダ２０１の数字ボタン２０２を操作することで、入力ボード４３１に数字を順次入力する。数字が１つ入力されると、カーソルが自動的に順次右方向に移動され、視聴者は数字をカーソルがそのとき表示されている位置に順次入力することができる。
【０１１３】
図１９の例においては、入力した内容を確認するためのボード４５１が表示されている。このボード４５１には、それまで入力した内容が表示されている。視聴者は、このボード４５１に表示されている内容を見ることで、今までの入力を確認することができる。
【０１１４】
そして、この例においては、ボード４５１の右下に、それまでの「次へ」ボタン４０４に代えて、「この内容で送信」ボタン４５２が表示されている。視聴者は、ボード４５１の内容を確認してその内容でよければ、この「この内容で送信」ボタン４５２を操作することになる。
【０１１５】
視聴者は、図１６乃至図１８に示されるような選択ボード４０１，４２１、あるいは入力ボード４３１に、リモートコマンダ２０１を操作することで、選択あるいは数字を入力する。受付部１３１は、ステップＳ４８でこの入力を受け付ける。受付部１３１により受け付けられたデータは、内蔵するメモリに記憶する。ステップＳ４７において、受付部１３１は、入力が完了したか否かを判定し、まだ入力が完了していない場合には、ステップＳ４８に戻り、それ以降の処理を繰り返し実行する。
【０１１６】
視聴者は、入力が完了したとき、リモートコマンダ２０１を操作して、アンケート入力の際に表示されている図２０の画面中の「完了」ボタン４７２をクリックする。このとき、ステップＳ４９において、入力が完了したと判定され、ステップＳ５０において、判定部１３２は、そのことを通信部１３８に通知する。このとき通信部１３８には、受付部１３１のメモリに記憶された、アンケートに対する回答等のデータも供給される。
【０１１７】
通信部１３８は、受付部１３１から入力されたアンケート入力に、ユーザ情報記憶部１４０から読み出したユーザ情報を付加するとともに、トリガコンテンツ記憶部１５２に記憶されているモジュールＩＤを付加して、通信電文を生成する。
【０１１８】
図２１は、このようにして生成される通信電文の例を表している。この通信電文には、モジュールＩＤ、アンケート識別番号、アンケート入力、およびユーザ情報が格納されている。
【０１１９】
さらに、ステップＳ５０において、通信部１３８は、生成した通信電文を、ネットワーク１０を介して送信先（いまの場合、データセンター装置４１）に送信する。この送信先は、ステップＳ４６の処理で受信されたトランザクションコンテンツに記述されているものである。
【０１２０】
データセンター装置４１は、この通信電文を受信すると、通信電文を正しく受信したか否かを表す終了グラフ（エラーコード）、受け付けた内容を識別する受付番号、および受付日時を送信してくる。通信部１３８は、ステップＳ５１でデータセンター装置４１からこれらのデータを受信すると、それを電文記憶部１５３に供給し、記憶させる。
【０１２１】
データコンテンツ処理部１３６は、電文記憶部１５３に記憶されたデータを読み出し、対応するメッセージを表示部１３７に表示させる。図２０の例では、受付番号が「１２３Ｍ７８９４５６」と表示され、「受け付け完了しました。ありがとうございました。」のメッセージが表示されている。データセンター装置４１からエラーコードが受信された場合には、例えば、「時間をおいて、もう一度送信してください」のようなメッセージが表示される。
【０１２２】
ステップＳ５２において、受信チャンネル設定部１３３は、判定部１３２から入力の完了が通知されたとき、受信部１３４を制御して、受信チャンネルを対象チャンネル（ステップＳ４６で抽出されたトランザクションコンテンツに記述されている）に切り替えさせる。これにより、表示部１３７には、再び放送装置３２−１が放送している番組コンテンツの画像が表示されることになる。
【０１２３】
ステップＳ４３において、回答が指示されなかったと判定された場合、図１４の「回答する」ボタン３０２が操作されなかった場合）、ステップＳ４４乃至ステップ５２の処理はスキップされる。
【０１２４】
以上のようにして、視聴者（ユーザ）は、トランザクションコンテンツが番組コンテンツと異なる放送チャンネルで放送されていることを殆んど意識することなく、アンケートに回答することになる。
【０１２５】
放送装置３２−１乃至３２−３の事業者は、図１６乃至図２０に示されるようなトランザクションコンテンツを自分自身で生成し、用意することも可能であるが、そのようにすると、上述したように、相当の手間と時間がかかり、コストが高くつくことになる。そこで、このトランザクションコンテンツの生成を、放送装置３１の事業者に依頼することで、低コスト化を図ることが可能となる。
【０１２６】
一方、放送装置３１の事業者は、放送装置３２−１乃至３２−３の各事業者からトランザクションコンテンツの使用料を受け取ることで、利益を上げることができる。
【０１２７】
トランザクションコンテンツとしては、各放送装置３２−１乃至３２−３毎に固有のものを放送装置３１側において用意することも可能であるが、そのようにすると、コスト高となる。そこで、図１６乃至図２０に示されるように、各種のボード（トランザクションコンテンツ）をテンプレート化して用意しておき、そこに入力するメッセージ、色彩、形状などを、各放送チャンネル毎に若干アレンジすることで、低コストでトランザクションコンテンツを各放送装置３２の事業者に提供することができる。
【０１２８】
このことは、視聴者側から見れば、どの放送チャンネルを視聴する場合においても、類似した入力インターフェースを利用することができるので、放送チャンネルが変わる度に、入力のインターフェースが変化し、入力がしにくかったり、入力に時間がかかったりすることが抑制される。
【０１２９】
各デジタルテレビジョン受像機１８からネットワーク１０を介して送信された（図１３のステップＳ５０の処理）アンケートは、データセンター装置４１により収集される。この場合の処理について、図２２のフローチャートを参照して説明する。
【０１３０】
ステップＳ７１において、通信部１１１は、デジタルテレビジョン受像機１８からネットワーク１０を介して送信されてきた信号を受信する。この信号には、図２１に示されるような通信電文が含まれており、トランザクションデータ抽出部１１２は、通信部１１１により受信された信号からこの通信電文を抽出し、内部に保持する。
【０１３１】
リアルタイムで処理する必要がある場合、さらに、ステップＳ７２において、分析部１１３は、トランザクションデータ抽出部１１２により抽出、保持された通信電文から、そこに保持されているアンケート結果を分析する。ステップＳ７３において、分析部１１３は、分析された結果を内蔵する記憶部に保持する。
【０１３２】
リアルタイムで処理する必要がない場合、ステップＳ７２，Ｓ７３の処理は、オフラインで実行される。
【０１３３】
放送装置３２は、必要なタイミングでこの分析結果の提供を受け、この分析結果を次の放送などに適宜反映させる処理を実行する。
【０１３４】
以上においては、トランザクションコンテンツをアンケートに回答するためのコンテンツとしたが、商品を販売するコンテンツをトランザクションコンテンツとすることもできる。以下にこの場合の処理について説明する。
【０１３５】
商品販売の案内を含む番組コンテンツに基づいて商品を購入する場合のデジタルテレビジョン受像機１８における処理の例が図２３のフローチャートに示されている。
【０１３６】
ステップＳ１２１において、デジタルテレビジョン受像機１８の受信部１３４は、放送装置３２から放送されてきた信号を受信する。映像／音声処理部１３５は、この受信された信号を復調し、表示部１３７に番組コンテンツを表示させる。図２４は、このようにして表示部１３７に表示される番組コンテンツの例を表している。
【０１３７】
図２４の例においては、番組コンテンツの画像５００に販売対象商品の画像５０１と、その商品を販売するためのメッセージ「この商品をご購入希望の方は、下のボタンをオンして下さい。」のメッセージ５０２が表示されている。そして、メッセージ５０２の右下には、「購入」ボタン５０３が表示されている。この「購入」ボタン５０３が番組コンテンツ５００にその一部として合成されたトリガコンテンツである。
【０１３８】
ステップＳ１２２において、データコンテンツ処理部１３６は、受信部１３４により受信された信号からトリガコンテンツを抽出し、トリガコンテンツ記憶部１５２に供給し、記憶させる。
【０１３９】
視聴者は、番組コンテンツを見て、その商品を購入する場合、リモートコマンダ２０１を操作して「購入」ボタン５０３をオンする。判定部１３２は、ステップＳ１２３において、受付部１３１からの入力をモニタし、「購入」ボタン５０３がオンされたか否か、すなわち購入が指示されたか否かを判定する。購入が指示されたと判定された場合、ステップＳ１２４で、Ｇレジスタ設定部１４１は、トリガコンテンツ記憶部１５２に記憶されているトリガコンテンツのモジュールＩＤと物販識別番号をＧレジスタに設定する。次に、ステップＳ１２５において、判定部１３２は、受信チャンネル設定部１３３に購入が指示されたことを通知する。このとき、受信チャンネル設定部１３３は、トリガコンテンツ記憶部１５２に記憶されている指定チャンネルに、受信するチャンネルを切り替えるように受信部１３４を制御する。受信部１３４は、この制御に基づいて、受信チャンネルを指定チャンネル（放送装置３１の放送チャンネル）に切り替える。
【０１４０】
ステップＳ１２６において、データコンテンツ処理部１３６は、受信部１３４により受信された放送装置３１が放送しているデジタルテレビジョン信号の中から、レジスタに記憶されているモジュールＩＤのモジュールを抽出する。データコンテンツ処理部１３６は、さらにステップＳ１２７で、レジスタに記憶されている物販識別番号に基づいて、商品販売のためのトランザクションコンテンツを抽出し、表示部１３７に出力する。このモジュールＩＤは、図２４の「購入」ボタン５０３のトリガコンテンツに対応するトランザクションコンテンツを指示することになる。その結果、表示部１３７には、ステップＳ１２７において、商品販売のためのトランザクションコンテンツが表示される。視聴者は、このトランザクションコンテンツに基づいて、ユーザ情報や各種の情報を入力する。ステップＳ１２８では、受付部１３１により視聴者より入力された入力が受け付けられる。
【０１４１】
図２５乃至図２９は、このようにして表示部１３７に表示されるトランザクションコンテンツの表示例を表している。
【０１４２】
図２５の表示例は、ユーザを入力するための表示例を表している。この表示例においては、入力ボード６０１に予め登録してある家族の氏名が表示されている。この例の場合、「やまだたろう」、「やまだはなこ」、「やまだいちろう」、「やまだじろう」の４人の家族の氏名が予め登録されている。視聴者は、リモートコマンダ２０１を操作することで、予め登録されているこの氏名の中から、自分自身の氏名を選択する。これにより、簡単にユーザ情報を入力することが可能となる。
【０１４３】
入力ボード６０１の左下には、「購入手続き取り消し」ボタン６０２が表示されている。このボタンは、購入手続を取り消すとき操作される。入力ボード６０１の右下には、「戻る」ボタン６０３が表示されている。このボタンは、画面を戻すとき操作される。
【０１４４】
入力ボード６０１の左上には、放送装置３２−１の放送チャンネルのロゴマーク６０４が表示されている。従って、この場合においても、視聴者はこのトランザクションコンテンツが放送装置３１から送信されてきたものであることは認識せずに、放送装置３２−１から送信されてきたものであると認識することになる。
【０１４５】
図２６は、入力ボード６２１において、「キーボード式」ボタンを選択した場合のメールアドレスを入力するための表示例を表している。この表示例においては、入力ボード６２１にアルファベットの文字とメールアドレスを入力するのに必要な記号の各種のボタンが表示されている。視聴者は、リモートコマンダ２０１を操作することで、所定のボタンを選択して自分自身のメールアドレスを入力する。
【０１４６】
また、この入力ボード６２１の右下には、「次へ」ボタン６２２が表示されている。視聴者は、このボタンを操作することで、表示を次の画面に進行させることができる。
【０１４７】
図２７は、入力ボード６２１において、「ケータイ式」ボタンを選択した場合の表示例を表している。この場合、携帯電話機における場合と同様に、基本的に、３×３＋１個の位置に配置された１０個の領域のいずれかを選択し、その領域をさらに必要回数選択することで、文字が入力される。
【０１４８】
図２８は、ユーザ情報を確認する場合のトランザクションコンテンツの表示例を表している。この表示例においては、ボード６６１に注文者の氏名と住所、並びにｅメールアドレスが表示されている。
【０１４９】
図２９は、購入した商品を確認する場合のトランザクションコンテンツの表示例を表している。この表示例においては、ボード６８１に購入した商品の名称と記号、並びに購入金額が表示されている。また、ボード６８１の右下には、「この内容でご購入」ボタン６８２が表示されている。視聴者は、ボード６８１で購入情報を確認した後、購入する場合には、「この内容でご購入」ボタン６８２を操作する。
【０１５０】
ステップＳ１２９で判定部１３２は、視聴者より購入が指示されたか否かを判定する。具体的には、図２９に示される「この内容でご購入」ボタン６８２がオンされたか否かが判定される。購入が指示されたと判定された場合、ステップＳ１３０に進み、受け付けた入力を電文化し、データセンター装置４１に送信する処理が行われる。すなわち、通信部１３８は、受付部１３１により受け付けられた視聴者からの入力を内部のメモリに記憶する。また、このメモリには、ユーザ情報記憶部１４０より読み出されたユーザ識別情報も記憶される。通信部１３８は、これらの記憶されたデータに基づいて、通信電文を作成する。
【０１５１】
図３０は、このようにして設定される通信電文の例を表している。この例においては、モジュールＩＤ、物販識別番号、およびユーザ情報の他、購入した商品の情報が記述されている。
【０１５２】
購入した商品の情報としては、その名称、番号、台数が記述され、商品の合計金額、送料込みの合計金額が記述される。また、販売店の情報が記述される。商品の名称と番号は、それぞれ販売対象とする商品を識別する情報である。価格は商品の販売価格であり、送料はその商品を配送する場合にかかる送料である。視聴者には、この価格と送料、並びに消費税が課金されることになる。
【０１５３】
販売店のアドレスは、その商品を注文する場合におけるネットワーク１０上の販売店のアドレスを表す。住所と電話番号は、その販売店の連絡先としての住所と電話番号である。
【０１５４】
この他、配送先およびユーザの情報が記述される。配送先は、視聴者が入力した商品の配送先を表す。ユーザの情報としては、ユーザ識別番号の他、ユーザの住所、電話番号、メールアドレス、クレジットカード番号が記述される。
【０１５５】
ステップＳ１３０の送信処理においては、さらに、図３１と図３２に示されるトランザクションコンテンツが表示される。
【０１５６】
図３１は、通信に費用がかかることを確認するための表示例を表しており、この例においては、ボード７２１に通信料金が表示されている。そして、そのボード７２１の右下には、「いいえ」ボタンと「はい」ボタンが表示されている。視聴者は、同意する場合には「はい」ボタンを選択する。「いいえ」ボタンが選択された場合には、購入処理は中止されることになる。
【０１５７】
図３２は、デジタルテレビジョン受像機１８の内部で作成された電文をデータセンター装置４１に送信中である場合におけるトランザクションコンテンツの表示例を表している。この表示例においては、ボード７４１にいま通信中であることのメッセージが表示されている。
【０１５８】
ステップＳ１３０の処理の後、ステップＳ１３１において、通信部１３８は、データセンター装置４１から送信されてくる終了フラグ、受付日時を電文記憶部１５３に供給し、記憶させる。記憶された情報は、データコンテンツ処理部１３６の指令に基づいて読み出され、図３３に示されるように、表示される。
【０１５９】
図３３は、注文の受け付けが完了したことを表すトランザクションコンテンツの例であり、ボード７０１に、注文完了のメッセージが表示されている。ボード７０１の右下には、「完了」ボタン７０２が表示されている。次に、ステップＳ１３２において、受信チャンネル設定部１３３は、判定部１３２により通信電文がデータセンター装置４１に送信されたと判定された場合、受信チャンネルを放送装置３１の放送チャンネルから元の放送チャンネル、すなわち放送装置３２−１の放送チャンネルに切り替えるように、受信部１３４を制御する。これにより、受信部１３４により再び放送装置３２−１の放送チャンネルが受信され、表示部１３７にその番組コンテンツが表示されることになる。
【０１６０】
ステップＳ１２３またはステップＳ１２９において、購入が指示されなかったと判定された場合、ステップＳ１２５乃至Ｓ１３２の処理はスキップされる。
【０１６１】
図２５乃至図２９、図３１乃至図３３に示されるトランザクションコンテンツもテンプレート化され、各放送チャンネルにおいて、若干修正されるだけで、基本的には共用される。その結果、視聴者に基本的に共通のインターフェースを提供することができ、操作性が向上する。また、トランザクションコンテンツを各放送装置の放送チャンネル毎に別個に用意する場合に較べてコストが低減される。
【０１６２】
図３４は、デジタルテレビジョン受像機１８から商品購入の通信電文が送信されてきた場合におけるデータセンター装置４１の処理を表している。
【０１６３】
ステップＳ１５１において、通信部１１１は、デジタルテレビジョン受像機１８からネットワーク１０を介して送信されてきた通信電文を受信し、保持する。リアルタイムで処理する必要がある場合、さらに、ステップＳ１５２において、トランザクションデータ抽出部１１２は、通信部１１１により抽出された通信電文からトランザクションデータを抽出し、保持する。分析部１１３は、トランザクションデータ抽出部１１２により抽出されたトランザクションデータに商品情報が含まれている場合には、それらの情報を抽出し、発注部１１４に供給する。
【０１６４】
ステップＳ１５３において、発注部１１４は、分析部１１３から供給された商品情報に記述されている販売店１７の販売店装置４３に購入情報を送信する。この購入情報は、購入した商品の情報（名称、番号、台数）、商品の合計金額、送料込みの合計金額、販売店の情報、ユーザ識別番号、配送先、ユーザの情報を含んでいる。
【０１６５】
販売装置４３は、この購入情報に基づいて、その視聴者（ユーザ）に対して商品の配送処理を実行する。
【０１６６】
ステップＳ１５４において、課金処理部１１５は、ネットワーク１０を介して課金センター装置４２に課金に必要な情報（クレジットカード番号、送料込みの合計金額等）を送信し、課金処理を要求する。課金センター装置４２は、この要求に基づいて、その視聴者（ユーザ）に対して課金処理を行う。
【０１６７】
リアルタイム処理が必要でない場合、ステップＳ１５２乃至Ｓ１５４の処理はオフラインで実行される。
【０１６８】
以上においては、トリガコンテンツとしてボタンの映像を放送するようにしたが、明示的なトリガコンテンツを放送するのに代えて、リモートコマンダのデータボタン２１０が操作されたときは、これをトリガとしてデータチャンネルに切り替えるコマンドを黙示的トリガコンテンツとして放送するようにしてもよい。
【０１６９】
また、トランザクションコンテンツとしてアンケートと商品販売を説明したが、その他の各種のサービスを視聴者に提供する場合に、本発明は適用することが可能である。さらに、コンテンツ受信装置としては、デジタルテレビジョン受像機以外に、例えば、デジタルテレビジョンチューナ、ハードディスクレコーダ、ビデオカセットレコーダ、その他の情報処理装置を用いることが可能である。また、本発明は、衛星を利用したデジタルテレビジョン放送以外に地上波のデジタルテレビジョン放送にも適用が可能である。
【０１７０】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１７１】
この記録媒体は、図２乃至図５に示されるように、装置本体とは別に、ユーザにプログラムを提供するために配布される、プログラムが記録されている磁気ディスク（フロッピディスクを含む）、光ディスク（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）、光磁気ディスク（ＭＤ（Ｍｉｎｉ−Ｄｉｓｋ）を含む）、もしくは半導体メモリなどよりなるリムーバブルメディア６６，１８８，１１８，１４３により構成されるだけでなく、装置本体に予め組み込まれた状態でユーザに提供される、プログラムが記録されているＲＯＭや、ハードディスクなどで構成される。
【０１７２】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１７３】
また、本明細書において、システムとは、複数の装置により構成される装置全体を表すものである。
【０１７４】
【発明の効果】
以上のごとく、本発明によれば、コンテンツを提供することができる。特に、安価に、簡単かつ確実、さらに迅速に、コンテンツを提供することが可能となる。また、異なるチャンネル間におけるコンテンツのユーザインターフェースを共通化することが可能となる。
【図面の簡単な説明】
【図１】本発明を適用した放送システムの構成を示すブロック図である。
【図２】図１の放送装置の構成例を示すブロック図である。
【図３】図１の放送装置の構成例を示すブロック図である。
【図４】図１のデータセンター装置の構成例を示すブロック図である。
【図５】図１のデジタルテレビジョン受像機の構成例を示すブロック図である。
【図６】図１のデジタルテレビジョン受像機を遠隔操作するリモートコマンダの構成例を示す正面図である。
【図７】アンケートを含む番組コンテンツの合成処理を説明するフローチャートである。
【図８】番組コンテンツの放送処理を説明するフローチャートである。
【図９】トランザクションコンテンツの放送処理を説明するフローチャートである。
【図１０】モジュールの構成例を示す図である。
【図１１】モジュールの構成例を示す図である。
【図１２】トランザクションコンテンツの送信処理を説明するフローチャートである。
【図１３】アンケートの回答処理を説明するフローチャートである。
【図１４】アンケートの案内を含む番組コンテンツの表示例を示す図である。
【図１５】トリガコンテンツに含まれるデータの例を示す図である。
【図１６】アンケート入力のためのトランザクションコンテンツの例を示す図である。
【図１７】アンケート入力のためのトランザクションコンテンツの例を示す図である。
【図１８】アンケート入力のためのトランザクションコンテンツの例を示す図である。
【図１９】アンケート確認のためのトランザクションコンテンツの例を示す図である。
【図２０】受付完了のトランザクションコンテンツの例を示す図である。
【図２１】通信電文の例を示す図である。
【図２２】アンケート収集処理を説明するフローチャートである。
【図２３】商品購入の処理を説明するフローチャートである。
【図２４】商品購入のトリガコンテンツを含む番組コンテンツの例を示す図である。
【図２５】ユーザ選択のトランザクションコンテンツの例を示す図である。
【図２６】メールアドレス入力のトランザクションコンテンツの例を示す図である。
【図２７】メールアドレス入力のトランザクションコンテンツの例を示す図である。
【図２８】内容確認のトランザクションコンテンツの例を示す図である。
【図２９】内容確認のトランザクションコンテンツの例を示す図である。
【図３０】通信電文の例を示す図である。
【図３１】通信料金確認のトランザクションコンテンツの例を示す図である。
【図３２】通信中のトランザクションコンテンツの例を示す図である。
【図３３】受付完了のトランザクションコンテンツの例を示す図である。
【図３４】商品販売処理を説明するフローチャートである。
【符号の説明】
１  放送システム，  １０  ネットワーク，  １１，１２−１乃至１２−３  放送局，  ３１，３２−１乃至３２−３  放送装置，  １３  送信装置，  １８−１乃至１８−２  デジタルテレビジョン受像機，  ４１  データセンター装置，  ４２  課金センター装置，  ４３  販売店装置
【図１】
2005020430.tif 000003
【図２】
2005020430.tif 000004
【図３】
2005020430.tif 000005
【図４】
2005020430.tif 000006
【図５】
2005020430.tif 000007
【図６】
2005020430.tif 000008
【図７】
2005020430.tif 000009
【図８】
2005020430.tif 000010
【図９】
2005020430.tif 000011
【図１０】
2005020430.tif 000012
【図１１】
2005020430.tif 000013
【図１２】
2005020430.tif 000014
【図１３】
2005020430.tif 000015
【図１４】
2005020430.tif 000016
【図１５】
2005020430.tif 000017
【図１６】
2005020430.tif 000018
【図１７】
2005020430.tif 000019
【図１８】
2005020430.tif 000020
【図１９】
2005020430.tif 000021
【図２０】
2005020430.tif 000022
【図２１】
2005020430.tif 000023
【図２２】
2005020430.tif 000024
【図２３】
2005020430.tif 000025
【図２４】
2005020430.tif 000026
【図２５】
2005020430.tif 000027
【図２６】
2005020430.tif 000028
【図２７】
2005020430.tif 000029
【図２８】
2005020430.tif 000030
【図２９】
2005020430.tif 000031
【図３０】
2005020430.tif 000032
【図３１】
2005020430.tif 000033
【図３２】
2005020430.tif 000034
【図３３】
2005020430.tif 000035
【図３４】
2005020430.tif 000036